(57)【要約】  ＬＴＥシステムのユーザ装置における方法は、多数のＣＤＭＡシステムの１つを選択し、そしてその選択されたＣＤＭＡシステムの指示をネットワークエレメントにシグナリングすることを含む。ネットワークエレメントは、ＵＥによる要求されたアクションに対応するＣＤＭＡシステムの指示を受け取る。ネットワークエレメントは、要求されたアクションに対応する情報をＣＤＭＡシステムへルーティングする。ＬＴＥシステムの別のネットワークエレメントは、ＬＴＥシステムのうちの関連するシステムに対する多数のＣＤＭＡシステムのマッピングの指示をＵＥへシグナリングする。他のネットワークエレメントは、ＵＥにより選択されたＣＤＭＡシステムの指示を含むシグナリングをＵＥから受け取る。【選択図】      図２
2015515203.tif 000002
【特許請求の範囲】
【請求項１】
ＬＴＥシステムのユーザ装置において複数のコード分割多重アクセスシステムのうちの１つを選択する手段と；
前記選択されたコード分割多重アクセスシステムの１つ以上の指示をネットワークエレメントへシグナリングする手段と；
を備えた装置。
【請求項２】
１つ以上のＬＴＥシステムのうちの関連するシステムに対する前記複数のコード分割多重アクセスシステムのマッピングを受け取る手段を更に備え；前記選択する手段は、更に、前記マッピングを使用して前記複数のコード分割多重アクセスシステムの１つを選択する手段を含む；請求項１に記載の装置。
【請求項３】
前記マッピングは、前記１つ以上のＬＴＥシステムに対する複数の高レートパケットデータシステム及び１ｘ無線送信技術システムのマッピングを含み；
前記選択する手段は、更に、高レートパケットデータシステム及び１ｘ無線送信技術システムを選択する手段を含み；及び
前記シグナリングする手段は、更に、前記選択された高レートパケットデータシステムの指示及び前記選択された１ｘ無線送信技術システムの指示を前記ネットワークエレメントへシグナリングする手段を含む；請求項２に記載の装置。
【請求項４】
前記選択する手段は、更に、前記選択された１ｘ無線送信技術システムを回路交換フォールバックシステムとして選択する手段を含み；及び前記シグナリングする手段は、更に、前記選択された１ｘ無線送信システムの指示を、前記ＬＴＥシステムから前記選択された１ｘ無線送信システムのパラメータを要求する目的でベースステーションへシグナリングする手段を含む；請求項３に記載の装置。
【請求項５】
ＬＴＥシステムを使用して、１ｘ無線送信技術システム又は高レートパケットデータシステムの一方に関する情報のアップリンク情報転送を遂行する手段を更に備え；前記アップリンク転送は、少なくとも、前記情報が１ｘ無線送信技術システム又は高レートパケットデータシステムのどちらに関するものか指示するメッセージを含む、請求項３に記載の装置。
【請求項６】
前記複数のコード分割多重アクセスシステムは、更に、複数の高レートパケットデータシステムを備え；
前記選択することは、更に、前記複数の高レートパケットデータシステムの１つを選択することを含み；及び
前記シグナリングする手段は、更に、前記選択された高レートパケットデータシステムを測定レポートにおいてベースステーションへシグナリングする手段を含む；
請求項１に記載の装置。
【請求項７】
前記手段は、前記選択された進化型高レートパケットデータシステムへのハンドオーバーの一部分としてその機能を遂行する、請求項６に記載の装置。
【請求項８】
前記複数のコード分割多重アクセスシステムは、更に、複数の１ｘ無線送信技術システムを備え；
前記選択する手段は、更に、前記複数の１ｘ無線送信技術システムの１つを選択する手段を含み；及び
前記シグナリングする手段は、更に、前記選択された１ｘ無線送信技術システムを測定レポートにおいてベースステーションへシグナリングする手段を含む；
請求項６に記載の装置。
【請求項９】
前記手段は、ＬＴＥシステムから前記選択された１ｘ無線送信技術システムへのハンドオーバーの一部分として、及び前記選択された高レートパケットデータシステムへの同時ハンドオーバーの一部分としてその機能を遂行し；更に、前記装置は、前記選択された１ｘ無線送信技術システムの指示を含む拡張サービス要求をユーザ装置によりベースステーションへシグナリングする手段を備えている、請求項８に記載の装置。
【請求項１０】
前記複数のコード分割多重アクセスシステムは、更に、複数の１ｘ無線送信技術システムを備え；
前記選択する手段は、更に、前記複数の１ｘ無線送信技術システムの１つを選択する手段を含み；及び
前記シグナリングする手段は、更に、前記選択された１ｘ無線送信技術システムを測定レポートにおいてベースステーションへシグナリングする手段を含む；
請求項１に記載の装置。
【請求項１１】
前記手段は、前記選択された１ｘ無線送信技術システムに対するボイスオーバーインターネットプロトコルコールの単一の無線ボイスコール継続性の一部分としてその機能を遂行する、請求項１０に記載の装置。
【請求項１２】
請求項１から１１のいずれかに記載の装置を備えたユーザ装置。
【請求項１３】
ＬＴＥシステムのユーザ装置において複数のコード分割多重アクセスシステムのうちの１つを選択し；及び
前記選択されたコード分割多重アクセスシステムの１つ以上の指示をネットワークエレメントへシグナリングする；
ことを含む方法。
【請求項１４】
１つ以上のＬＴＥシステムのうちの関連するシステムに対する前記複数のコード分割多重アクセスシステムのマッピングを受け取ることを更に含み；及び前記選択することは、前記マッピングを使用して前記複数のコード分割多重アクセスシステムの１つを選択することを含む、請求項１３に記載の方法。
【請求項１５】
前記マッピングは、前記１つ以上のＬＴＥシステムに対する複数の高レートパケットデータシステム及び１ｘ無線送信技術システムのマッピングを含み、
前記選択することは、更に、高レートパケットデータシステム及び１ｘ無線送信技術システムを選択することを含み、及び
前記シグナリングすることは、更に、前記選択された高レートパケットデータシステムの指示及び前記選択された１ｘ無線送信技術システムの指示を前記ネットワークエレメントへシグナリングすることを含む、請求項１４に記載の方法。
【請求項１６】
前記選択することは、更に、前記選択された１ｘ無線送信技術システムを回路交換フォールバックシステムとして選択することを含み；及び前記シグナリングすることは、更に、前記選択された１ｘ無線送信システムの指示を、前記ＬＴＥシステムから前記選択された１ｘ無線送信システムのパラメータを要求する目的でベースステーションへシグナリングすることを含む、請求項１５に記載の方法。
【請求項１７】
ＬＴＥシステムを使用して、１ｘ無線送信技術システム又は高レートパケットデータシステムの一方に関する情報のアップリンク情報転送を遂行することを更に含み；前記アップリンク転送は、少なくとも、前記情報が１ｘ無線送信技術システム又は高レートパケットデータシステムのどちらに関するものか指示するメッセージを含む、請求項１５に記載の方法。
【請求項１８】
前記複数のコード分割多重アクセスシステムは、更に、複数の高レートパケットデータシステムを備え；
前記選択することは、更に、前記複数の高レートパケットデータシステムの１つを選択することを含み；及び
前記シグナリングすることは、更に、前記選択された高レートパケットデータシステムを測定レポートにおいてベースステーションへシグナリングすることを含む；
請求項１３に記載の方法。
【請求項１９】
前記選択された進化型高レートパケットデータシステムへのハンドオーバーの一部分として遂行される、請求項１８に記載の方法。
【請求項２０】
前記複数のコード分割多重アクセスシステムは、更に、複数の１ｘ無線送信技術システムを備え；
前記選択することは、更に、前記複数の１ｘ無線送信技術システムの１つを選択することを含み；及び
前記シグナリングすることは、更に、前記選択された１ｘ無線送信技術システムを測定レポートにおいてベースステーションへシグナリングすることを含む；
請求項１８に記載の方法。
【請求項２１】
ＬＴＥシステムから前記選択された１ｘ無線送信技術システムへのハンドオーバーの一部分として、及び前記選択された高レートパケットデータシステムへの同時ハンドオーバーの一部分として遂行される方法であって、更に、前記選択された１ｘ無線送信技術システムの指示を含む拡張サービス要求をユーザ装置によりベースステーションへシグナリングすることを含む、請求項２０に記載の方法。
【請求項２２】
前記複数のコード分割多重アクセスシステムは、更に、複数の１ｘ無線送信技術システムを備え；
前記選択することは、更に、前記複数の１ｘ無線送信技術システムの１つを選択することを含み；及び
前記シグナリングすることは、更に、前記選択された１ｘ無線送信技術システムを測定レポートにおいてベースステーションへシグナリングすることを含む；
請求項１３に記載の方法。
【請求項２３】
前記選択された１ｘ無線送信技術システムに対するボイスオーバーインターネットプロトコルコールの単一の無線ボイスコール継続性の一部分として遂行される、請求項２２に記載の方法。
【請求項２４】
ＬＴＥシステムのネットワークエレメントにおいて、そのネットワークエレメントがアクセスする複数のコード分割多重アクセスシステムのうちの１つ以上の選択されたシステムの１つ以上の指示を受け取る手段を備え、その１つ以上の選択されたコード分割多重アクセスシステムは、ユーザ装置による１つ以上の要求されたアクションと、複数のコード分割多重アクセスシステムのうちの選択されたシステムをユーザ装置で選択すること、とに対応し、及び
前記１つ以上の要求されたアクションに対応する情報を前記１つ以上の選択されたコード分割多重アクセスシステムへルーティングする手段を備えた、装置。
【請求項２５】
前記１つ以上の要求されたアクションは、選択されたコード分割多重アクセスシステムとの事前登録手順を含み、前記ルーティングする手段は、更に、前記事前登録手順に対応する情報を前記選択されたコード分割多重アクセスシステムへルーティングする手段を含む、請求項２４に記載の装置。
【請求項２６】
前記ネットワークエレメントがアクセスする前記複数のコード分割多重アクセスシステムは、更に、複数の１ｘ無線送信技術システム及び複数の高レートパケットデータシステムを備え、前記１つ以上の選択された複数のコード分割多重アクセスシステムは、選択された１ｘ無線送信技術システム又は選択された高レートパケットデータシステムの一方を含む、請求項２５に記載の装置。
【請求項２７】
前記１つ以上の要求されたアクションは、選択されたコード分割多重アクセスシステムへのユーザ装置のハンドオーバーを含み、前記ルーティングする手段は、更に、前記ハンドオーバーに対応する情報を前記選択されたコード分割多重アクセスシステムへルーティングする手段を含む、請求項２４に記載の装置。
【請求項２８】
前記ネットワークエレメントがアクセスする前記複数のコード分割多重アクセスシステムは、更に、複数の高レートパケットデータシステムを備え、前記１つ以上の選択された複数のコード分割多重アクセスシステムは、選択された高レートパケットデータシステムを含み、前記ルーティングする手段は、更に、前記ハンドオーバーに対応する情報を前記選択された高レートパケットデータシステムへルーティングする手段を含む、請求項２７に記載の装置。
【請求項２９】
前記ネットワークエレメントがアクセスする前記複数のコード分割多重アクセスシステムは、更に、複数の１ｘ無線送信技術システムを備え、前記１つ以上の要求されたアクションは、ＬＴＥシステムから１ｘ無線送信技術システムへの回路交換フォールバックを含み、前記ルーティングする手段は、更に、前記回路交換フォールバックに対応する情報を前記複数の選択されたコード分割多重アクセスシステムへルーティングする手段を含む、請求項２４に記載の装置。
【請求項３０】
前記ネットワークエレメントがアクセスする前記複数のコード分割多重アクセスシステムは、更に、複数の高レートパケットデータシステムを備え、前記１つ以上の要求されたアクションは、更に、ＬＴＥシステムから複数の高レートパケットデータシステムのうちの選択されたシステムへのパケットデータセッションのハンドオーバーを含み、前記ルーティングする手段は、更に、前記ハンドオーバーに対応する情報を前記選択された高レートパケットデータシステムルーティングする手段を含む、請求項２９に記載の装置。
【請求項３１】
前記１つ以上の要求されたアクションは、選択されたコード分割多重アクセスシステムへのユーザ装置のボイスオーバーインターネットプロトコルコールの単一の無線ボイスコール継続性を含み、前記ルーティングする手段は、更に、前記単一の無線ボイスコール継続性に対応する情報を前記選択されたコード分割多重アクセスシステムへルーティングする手段を含む、請求項２４に記載の装置。
【請求項３２】
前記ネットワークエレメントがアクセスする前記複数のコード分割多重アクセスシステムは、更に、複数の１ｘ無線送信技術システムを備え、前記ルーティングする手段は、更に、前記単一の無線ボイスコール継続性に対応する情報を前記選択された１ｘ無線送信技術システムへルーティングする手段を含む、請求項３１に記載の装置。
【請求項３３】
前記情報をルーティングする手段は、更に、前記ＬＴＥシステムを通して前記１つ以上の選択されたコード分割多重アクセスシステムへ情報をトンネリングする手段を含む、請求項２４から３２のいずれか１項に記載の装置。
【請求項３４】
請求項２４から３３のいずれか１項に記載の装置を備えたＬＴＥシステムの移動管理エンティティ。
【請求項３５】
ＬＴＥシステムのネットワークエレメントにおいて、そのネットワークエレメントがアクセスする複数のコード分割多重アクセスシステムのうちの１つ以上の選択されたシステムの１つ以上の指示を受け取ることを含み、その１つ以上の選択されたコード分割多重アクセスシステムは、ユーザ装置による１つ以上の要求されたアクションと、複数のコード分割多重アクセスシステムのうちの選択されたシステムをユーザ装置で選択すること、とに対応し；及び
前記１つ以上の要求されたアクションに対応する情報を前記１つ以上の選択されたコード分割多重アクセスシステムへルーティングする；
ことを含む方法。
【請求項３６】
前記１つ以上の要求されたアクションは、選択されたコード分割多重アクセスシステムとの事前登録手順を含み、前記ルーティングすることは、更に、前記事前登録手順に対応する情報を前記選択されたコード分割多重アクセスシステムへルーティングすることを含む、請求項３５に記載の方法。
【請求項３７】
前記ネットワークエレメントがアクセスする前記複数のコード分割多重アクセスシステムは、更に、複数の１ｘ無線送信技術システム及び複数の高レートパケットデータシステムを備え、前記１つ以上の選択された複数のコード分割多重アクセスシステムは、選択された１ｘ無線送信技術システム又は選択された高レートパケットデータシステムの一方を含む、請求項３６に記載の方法。
【請求項３８】
前記１つ以上の要求されたアクションは、選択されたコード分割多重アクセスシステムへのユーザ装置のハンドオーバーを含み、前記ルーティングすることは、更に、前記ハンドオーバーに対応する情報を前記選択されたコード分割多重アクセスシステムへルーティングすることを含む、請求項３５に記載の方法。
【請求項３９】
前記ネットワークエレメントがアクセスする複数のコード分割多重アクセスシステムは、更に、複数の高レートパケットデータシステムを備え、前記１つ以上の選択された複数のコード分割多重アクセスシステムは、選択された高レートパケットデータシステムを含み、前記ルーティングすることは、更に、前記ハンドオーバーに対応する情報を前記選択された高レートパケットデータシステムへルーティングすることを含む、請求項３８に記載の方法。
【請求項４０】
前記ネットワークエレメントがアクセスする前記複数のコード分割多重アクセスシステムは、更に、複数の１ｘ無線送信技術システムを備え、前記１つ以上の要求されたアクションは、ＬＴＥシステムから１ｘ無線送信技術システムへの回路交換フォールバックを含み、前記ルーティングすることは、更に、前記回路交換フォールバックに対応する情報を前記複数の選択されたコード分割多重アクセスシステムへルーティングすることを含む、請求項３５に記載の方法。
【請求項４１】
前記ネットワークエレメントがアクセスする前記複数のコード分割多重アクセスシステムは、更に、複数の高レートパケットデータシステムを備え、前記１つ以上の要求されたアクションは、更に、ＬＴＥシステムから複数の高レートパケットデータシステムのうちの選択されたシステムへのパケットデータセッションのハンドオーバーを含み、前記ルーティングすることは、更に、前記ハンドオーバーに対応する情報を前記選択された高レートパケットデータシステムルーティングすることを含む、請求項４０に記載の方法。
【請求項４２】
前記１つ以上の要求されたアクションは、選択されたコード分割多重アクセスシステムへのユーザ装置のボイスオーバーインターネットプロトコルコールの単一の無線ボイスコール継続性を含み、前記ルーティングすることは、更に、前記単一の無線ボイスコール継続性に対応する情報を前記選択されたコード分割多重アクセスシステムへルーティングすることを含む、請求項３５に記載の方法。
【請求項４３】
前記ネットワークエレメントがアクセスする前記複数のコード分割多重アクセスシステムは、更に、複数の１ｘ無線送信技術システムを備え、前記ルーティングすることは、更に、前記単一の無線ボイスコール継続性に対応する情報を前記選択された１ｘ無線送信技術システムへルーティングすることを含む、請求項４２に記載の方法。
【請求項４４】
前記情報をルーティングすることは、更に、前記ＬＴＥシステムを通して前記１つ以上の選択されたコード分割多重アクセスシステムへ情報をトンネリングすることを含む、請求項３５から４３のいずれか１項に記載の方法。
【請求項４５】
ＬＴＥシステムのネットワークエレメントにおいて、１つ以上のＬＴＥシステムのうちの関連するシステムに対する複数のコード分割多重アクセスシステムのマッピングの指示をユーザ装置へシグナリングする手段と；
ユーザ装置により選択された１つ以上の選択されたコード分割多重アクセスシステムの１つ以上の指示を含むシグナリングをユーザ装置から受け取る手段と；
を備えた装置。
【請求項４６】
前記受け取ることに応答して、前記１つ以上の選択されたコード分割多重アクセスシステムの前記１つ以上の指示をＬＴＥシステムの第２のネットワークエレメントへシグナリングする手段を更に含む、請求項４５に記載の装置。
【請求項４７】
ユーザ装置による１つ以上の要求されたアクションに対応し且つ１つ以上の選択されたコード分割多重アクセスシステムに対応するシグナリングを受け取る手段と；
前記１つ以上の要求されたアクションを第２のネットワークエレメントへシグナリングする手段と；
を更に備えた請求項４５に記載の装置。
【請求項４８】
前記１つ以上の選択されたコード分割多重アクセスシステムの測定を行うことをユーザ装置にシグナリングすることで要求をなす手段を更に備えた、請求項４５に記載の装置。
【請求項４９】
前記要求をなすことは、少なくとも１ｘ無線送信技術システムの指示を含むシグナリングをＬＴＥシステムの第２のネットワークエレメントから受け取るのに応答して行われ、そして前記１つ以上の選択されたコード分割多重アクセスシステムの測定を行うことをユーザ装置にシグナリングすることで要求をなす前記手段は、更に、前記１ｘ無線送信技術システムの測定を行うことをユーザ装置にシグナリングすることで要求をなす手段を含む、請求項４８に記載の装置。
【請求項５０】
前記１つ以上のシグナリングされた指示は、選択された１ｘ無線送信技術システム及び選択された高レートパケットデータシステムの指示の一方又は両方を含み、そして前記装置は、更に、ユーザ装置へ送出するために前記選択された１ｘ無線送信技術システム又は前記選択された高レートパケットデータシステムの一方又は両方に関連したＣＤＭＡ２０００パラメータのセットを選択する指示を使用する手段と；前記ＣＤＭＡ２０００パラメータのセットをユーザ装置へ送出する手段と；を備えた請求項４５に記載の装置。
【請求項５１】
請求項４５から５０のいずれかに記載の装置を備えたＬＴＥシステムのベースステーション。
【請求項５２】
ＬＴＥシステムのネットワークエレメントにおいて、１つ以上のＬＴＥシステムのうちの関連するシステムに対する複数のコード分割多重アクセスシステムのマッピングの指示をユーザ装置へシグナリングし；及び
ユーザ装置により選択された１つ以上の選択されたコード分割多重アクセスシステムの１つ以上の指示を含むシグナリングをユーザ装置から受け取る；
ことを含む方法。
【請求項５３】
前記受け取ることに応答して、前記１つ以上の選択されたコード分割多重アクセスシステムの前記１つ以上の指示をＬＴＥシステムの第２のネットワークエレメントへシグナリングすることを更に含む、請求項５２に記載の方法。
【請求項５４】
ユーザ装置による１つ以上の要求されたアクションに対応し且つ１つ以上の選択されたコード分割多重アクセスシステムに対応するシグナリングを受け取り；及び
前記１つ以上の要求されたアクションを第２のネットワークエレメントへシグナリングする；
ことを更に含む請求項５３に記載の方法。
【請求項５５】
前記１つ以上の選択されたコード分割多重アクセスシステムの測定を行うことをユーザ装置にシグナリングすることで要求をなすことを更に含む、請求項５２に記載の方法。
【請求項５６】
前記要求をなすことは、少なくとも１ｘ無線送信技術システムの指示を含むシグナリングをＬＴＥシステムの第２のネットワークエレメントから受け取るのに応答して行われ、そして前記１つ以上の選択されたコード分割多重アクセスシステムの測定を行うことをユーザ装置にシグナリングすることで要求をなすことは、更に、前記１ｘ無線送信技術システムの測定を行うことをユーザ装置にシグナリングすることで要求をなすことを含む、請求項５５に記載の方法。
【請求項５７】
前記１つ以上のシグナリングされた指示は、選択された１ｘ無線送信技術システム及び選択された高レートパケットデータシステムの指示の一方又は両方を含み、そして前記方法は、更に、ユーザ装置へ送出するために前記選択された１ｘ無線送信技術システム又は前記選択された高レートパケットデータシステムの一方又は両方に関連したＣＤＭＡ２０００パラメータのセットを選択する指示を使用し；及び前記ＣＤＭＡ２０００パラメータのセットをユーザ装置へ送出する；ことを含む請求項５２に記載の方法。
【請求項５８】
請求項１から１１のいずれか１項に記載の装置、請求項２４から３３のいずれか１項に記載の装置、又は請求項４５から５０のいずれか１項に記載の装置、のうちの１つ以上を備えた通信システム。
【請求項５９】
請求項１３から２３、３５から４４、又は５２から５７のいずれかに記載の方法を実行するためのプログラムコードを備えたコンピュータプログラム。
【請求項６０】
前記コンピュータプログラムは、コンピュータに使用するために実施されたコンピュータプログラムコードを保持するコンピュータ読み取り可能な媒体を含むコンピュータプログラム製品である、請求項５９に記載のコンピュータプログラム。
【発明の詳細な説明】
【技術分野】
【０００１】
本発明は、一般的に、ワイヤレス通信に関するもので、より詳細には、ＬＴＥシステムのもとにあるＵＥが、多数の考えられるＣＤＭＡ２０００システムから、ハンドオーバー及びフォールバックサービスのためのＣＤＭＡ２０００システムを選択し、そしてその選択されたＣＤＭＡ２０００システムをＬＴＥシステムへシグナリングして、ＣＤＭＡシステムへのハンドオーバー及びフォールバックサービスを実行できるようにすることに関する。
【背景技術】
【０００２】
本章は、以下に開示する発明の背景又は状況を示すことを意図する。ここでの説明は、遂行はできるが必ずしも以前に考案され、具現化され又は説明されたものではない概念を含み得る。それ故、特に指示のない限り、本章に述べることは、本願の説明に対する従来技術でもないし、本章に含ませることにより従来技術であると認めるものでもない。
【０００３】
明細書及び／又は図面に見られる以下の省略形は、次のように定義される。
１ｘＲＴＴ        １ｘ無線送信技術（ＣＤＭＡ２０００技術）
３ＧＰＰ          第三世代パートナーシッププロジェクト
ＣＤＭＡ          コード分割多重アクセス
ＣＤＭＡ２０００  コード分割多重アクセス２０００
ＣＳ              回路交換
ＣＳＦＢ          回路交換フォールバック
ｅＮｏｄｅＢ又はｅＮＢ
Ｅ−ＵＴＲＡＮ（又は進化型）ＮｏｄｅＢ（ＬＴＥベースステーション）
ＥＰＣ            進化型パケットコア
Ｅ−ＵＴＲＡＮ    進化型ＵＴＲＡＮ
ＨＲＰＤ          高レートパケットデータ（ＣＤＭＡ２０００技術）
ｅＨＲＰＤ        進化型ＨＲＰＤ（ＣＤＭＡ２０００技術）
ＩＤ              識別
ＩＷＳ            インターワーキング解決策
ＬＴＥ            長期進化（long term evolution）
ＭＭＥ            移動マネージメントエンティティ
ＮＡＳ            非アクセス層
ＮＩＤ            ネットワークアイデンティティ
ＰＬＭＮ          公衆地上移動ネットワーク
ＰＲＬ            好ましいローミングリスト
ＲＡＮ            無線アクセスネットワーク
ＲＡＴ            無線アクセステクノロジー
ＲＲＣ            無線リソースコントロール
Ｓ１ＡＰ          Ｓ１アプリケーションパート
ＳＩＢ１          システム情報ブロックタイプ１
ＳＩＢ８          システム情報ブロックタイプ８
ＳＩＤ            システムアイデンティティ（又はシステム識別子）
ＳＲＶＣＣ        単一無線ボイスコール連続性
ＴＳ              技術規格
ＵＥ              ユーザ装置
ＵＴＲＡＮ        ユニバーサル地上無線アクセスネットワーク
ＶｏＩＰ          ボイスオーバーインターネットプロトコル
【発明の概要】
【発明が解決しようとする課題】
【０００４】
現在のＬＴＥ仕様は、単一のＬＴＥシステムと、各形式（１ｘＲＴＴ及びｅＨＲＰＤ）の単一のＣＤＭＡ２０００システムとの間の相互作用（例えば、ハンドオーバー、ＣＳＦＢ、ＳＲＶＣＣ手順）しかサポートしない。１つのＬＴＥシステムが同じ形式の複数のＣＤＭＡ２０００システムとの重畳する無線カバレージを有する場合を受け容れるために、単一のＬＴＥシステムと、同じ形式の複数のＣＤＭＡ２０００システムとの間の相互作用をサポートする必要がある。
【課題を解決するための手段】
【０００５】
本章は、規範的な実施形態の概略を述べるもので、これに限定されるものではない。
【０００６】
規範的実施形態では、ＬＴＥシステムのユーザ装置において、複数のコード分割多重アクセスシステムのうちの１つを選択することを含む方法が開示される。この方法は、その選択されたコード分割多重アクセスシステムの１つ以上の指示をネットワークエレメントへシグナリングすることも含む。
【０００７】
更に別の規範的な実施形態は、コンピュータプログラムがプロセッサ上で実行されるときに、ＬＴＥシステムのユーザ装置において、複数のコード分割多重アクセスシステムのうちの１つを選択するためのコードと、その選択されたコード分割多重アクセスシステムの１つ以上の指示をネットワークエレメントへシグナリングするためのコードと、を含むコンピュータプログラムを提供する。更に別の規範的な実施形態は、この段落に基づくコンピュータプログラムであり、そのコンピュータプログラムは、コンピュータに使用するために実施されたコンピュータプログラムコードを保持するコンピュータ読み取り可能な媒体を含むコンピュータプログラム製品である。
【０００８】
規範的な装置は、１つ以上のプロセッサと、コンピュータプログラムコードを含む１つ以上のメモリとを備えている。１つ以上のメモリ及びコンピュータプログラムコードは、１つ以上のプロセッサとで、装置が、少なくとも、次のこと：即ち、ＬＴＥシステムのユーザ装置において、複数のコード分割多重アクセスシステムのうちの１つを選択すること；及びその選択されたコード分割多重アクセスシステムの１つ以上の指示をネットワークエレメントへシグナリングすること；を遂行するようにさせるよう構成される。ユーザ装置は、この段落の装置を含む。
【０００９】
更に別の規範的な実施形態は、ＬＴＥシステムのユーザ装置において、複数のコード分割多重アクセスシステムのうちの１つを選択するための手段；及びその選択されたコード分割多重アクセスシステムの１つ以上の指示をネットワークエレメントへシグナリングする手段；を備えた装置である。ユーザ装置は、この段落の装置を含む。
【００１０】
別の規範的な実施形態は、方法である。この方法は、ＬＴＥシステムのネットワークエレメントにおいて、そのネットワークエレメントがアクセスする複数のコード分割多重アクセスシステムのうちの１つ以上の選択されたシステムの１つ以上の指示を受信することを含み、その１つ以上の選択されたコード分割多重アクセスシステムは、ユーザ装置による１つ以上の要求されたアクションと、複数のコード分割多重アクセスシステムのうちの選択されたシステムをユーザ装置で選択することと、に対応する。又、この方法は、１つ以上の要求されたアクションに対応する情報を１つ以上の選択されたコード分割多重アクセスシステムへルーティングすることも含む。
【００１１】
付加的な規範的な実施形態は、コンピュータプログラムを備え、このコンピュータプログラムは、コンピュータプログラムがプロセッサ上で実行されるときに、ＬＴＥシステムのネットワークエレメントにおいて、そのネットワークエレメントがアクセスする複数のコード分割多重アクセスシステムのうちの１つ以上の選択されたシステムの１つ以上の指示を受信するコードを含み、その１つ以上の選択されたコード分割多重アクセスシステムは、ユーザ装置による１つ以上の要求されたアクションと、複数のコード分割多重アクセスシステムのうちの選択されたシステムをユーザ装置で選択することと、に対応し、更に、１つ以上の要求されたアクションに対応する情報を１つ以上の選択されたコード分割多重アクセスシステムへルーティングするコードを含む。付加的な規範的実施形態は、この段落に基づくコンピュータプログラムであり、そのコンピュータプログラムは、コンピュータに使用するために実施されたコンピュータプログラムコードを保持するコンピュータ読み取り可能な媒体を含むコンピュータプログラム製品である。
【００１２】
規範的な装置は、１つ以上のプロセッサと、コンピュータプログラムコードを含む１つ以上のメモリとを備えている。１つ以上のメモリ及びコンピュータプログラムコードは、１つ以上のプロセッサとで、装置が、少なくとも、次のこと：即ち、ＬＴＥシステムのネットワークエレメントにおいて、そのネットワークエレメントがアクセスする複数のコード分割多重アクセスシステムのうちの１つ以上の選択されたシステムの１つ以上の指示を受信することを含み、その１つ以上の選択されたコード分割多重アクセスシステムは、ユーザ装置による１つ以上の要求されたアクションと、複数のコード分割多重アクセスシステムのうちの選択されたシステムをユーザ装置で選択することと、に対応し、更に、１つ以上の要求されたアクションに対応する情報を１つ以上の選択されたコード分割多重アクセスシステムへルーティングすることも含む。移動管理エンティティは、この段落の装置を含む。
【００１３】
更に別の規範的な実施形態は、ＬＴＥシステムのネットワークエレメントにおいて、そのネットワークエレメントがアクセスする複数のコード分割多重アクセスシステムのうちの１つ以上の選択されたシステムの１つ以上の指示を受信する手段を含み、その１つ以上の選択されたコード分割多重アクセスシステムは、ユーザ装置による１つ以上の要求されたアクションと、複数のコード分割多重アクセスシステムのうちの選択されたシステムをユーザ装置で選択することと、に対応し、更に、１つ以上の要求されたアクションに対応する情報を１つ以上の選択されたコード分割多重アクセスシステムへルーティングする手段も含む装置である。移動管理エンティティは、この段落の装置を含む。
【００１４】
別の規範的な方法が開示される。この方法は、ＬＴＥシステムのネットワークエレメントにおいて、１つ以上のＬＴＥシステムのうちの関連するシステムに対する複数のコード分割多重アクセスシステムのマッピングの指示をユーザ装置へシグナリングし、及びユーザ装置によって選択された１つ以上の選択されたコード分割多重アクセスシステムの１つ以上の指示を含むシグナリングをユーザ装置から受信する、ことを含む。
【００１５】
更に別の規範的な実施形態は、コンピュータプログラムを備え、このコンピュータプログラムは、コンピュータプログラムがプロセッサ上で実行されるときに、ＬＴＥシステムのネットワークエレメントにおいて、１つ以上のＬＴＥシステムのうちの関連するシステムに対する複数のコード分割多重アクセスシステムのマッピングの指示をユーザ装置へシグナリングするコードと、ユーザ装置によって選択された１つ以上の選択されたコード分割多重アクセスシステムの１つ以上の指示を含むシグナリングをユーザ装置から受信するコードとを含む。別の規範的実施形態は、この段落に基づくコンピュータプログラムであり、そのコンピュータプログラムは、コンピュータに使用するために実施されたコンピュータプログラムコードを保持するコンピュータ読み取り可能な媒体を含むコンピュータプログラム製品である。
【００１６】
規範的な装置は、１つ以上のプロセッサと、コンピュータプログラムコードを含む１つ以上のメモリとを備えている。１つ以上のメモリ及びコンピュータプログラムコードは、１つ以上のプロセッサとで、装置が、少なくとも、次のこと：即ち、ＬＴＥシステムのネットワークエレメントにおいて、１つ以上のＬＴＥシステムのうちの関連するシステムに対する複数のコード分割多重アクセスシステムのマッピングの指示をユーザ装置へシグナリングし、及びユーザ装置によって選択された１つ以上の選択されたコード分割多重アクセスシステムの１つ以上の指示を含むシグナリングをユーザ装置から受け取る、ことを遂行するようにさせるように構成される。ベースステーションは、この段落の装置を含む。
【００１７】
別の規範的な実施形態では、ＬＴＥシステムのネットワークエレメントにおいて、１つ以上のＬＴＥシステムのうちの関連するシステムに対する複数のコード分割多重アクセスシステムのマッピングの指示をユーザ装置へシグナリングし、及びユーザ装置によって選択された１つ以上の選択されたコード分割多重アクセスシステムの１つ以上の指示を含むシグナリングをユーザ装置から受け取る、ことを含む装置が開示される。ベースステーションは、この段落の装置を含む。
【図面の簡単な説明】
【００１８】
【図１】本発明の規範的な実施形態が具現化される規範的なシステムを示す。
【図２】１ｘＲＴＴ／ｅＨＲＰＤ事前登録手順である（３ＧＰＰ  ＴＳ２３．２７２、図Ｂ.２.１.１−１、及び３ＧＰＰ  ＴＳ２３．４０２、図９.３.１−１を参照）。
【図３】ＬＴＥからｅＨＲＰＤシステムへのハンドオーバーのための規範的なシグナリング図である（３ＧＰＰ  ＴＳ２３．４０２、図９.３.２−１を参照）。
【図４Ａ】ｅＨＲＰＤへの同時ハンドオーバーを伴う１ｘＣＳＦＢ対１ｘＲＴＴのための規範的なシグナリング図である（３ＧＰＰ  ＴＳ２３．２７２、図Ｂ.２.３ａ.３−１及び図Ｂ.２.３ａ.５−１を参照）。
【図４Ｂ】ｅＨＲＰＤへの同時ハンドオーバーを伴う１ｘＣＳＦＢ対１ｘＲＴＴのための規範的なシグナリング図である（３ＧＰＰ  ＴＳ２３．２７２、図Ｂ.２.３ａ.３−１及び図Ｂ.２.３ａ.５−１を参照）。
【図５】１ｘＲＴＴシステムへのＶｏＩＰコールのＳＲＶＣＣのための規範的なシグナリング図である（３ＧＰＰ  ＴＳ２３．２１６、図６.１.３−１を参照）。
【図６】本発明の規範的な実施形態による方法のオペレーションを示すと共に、コンピュータ読み取り可能なメモリで実施されるコンピュータプログラムインストラクションの実行の結果を示す論理フロー図である。
【図７】本発明の規範的な実施形態による方法のオペレーションを示すと共に、コンピュータ読み取り可能なメモリで実施されるコンピュータプログラムインストラクションの実行の結果を示す論理フロー図である。
【図８】本発明の規範的な実施形態による方法のオペレーションを示すと共に、コンピュータ読み取り可能なメモリで実施されるコンピュータプログラムインストラクションの実行の結果を示す論理フロー図である。
【発明を実施するための形態】
【００１９】
ＬＴＥシステムと、同じ形式の複数のＣＤＭＡ２０００システムとの間の相互作用を可能にすることに関して更に説明する前に、本発明の規範的実施形態が具現化される規範的なシステムを示す図１について説明する。図１において、ユーザ装置（ＵＥ）は、ワイヤレスリンク１１５を経てネットワーク１００とワイヤレス通信し、例えば、ＬＴＥ  ＲＡＮのようなｅＮＢ１０７とワイヤレス通信する。本発明の規範的実施形態は、ＵＥがＬＴＥ  ｅＮＢ１０７及びそれに対応するＬＴＥシステムとで有する接続をＣＤＭＡ２０００システム１４０の１つへどのようにルーティングするかに関する。
【００２０】
ユーザ装置１１０は、１つ以上のプロセッサ１２０、１つ以上のメモリ１２５及び１つ以上のトランシーバ１３０（受信器Ｒｘ及び送信器Ｔｘを含む）を備え、これらは、１つ以上のバス１２７を通して相互接続されている。１つ以上のトランシーバ１３０は、１つ以上のアンテナ１２８に接続される。１つ以上のメモリ１２５は、コンピュータプログラムコード１２３を含む。１つ以上のメモリ１２５及びコンピュータプログラムコード１２３は、１つ以上のプロセッサ１２０とで、ユーザ装置１１０に、ここに述べるオペレーションの１つ以上を遂行させるように構成される。
【００２１】
ネットワーク１００は、ｅＮＢ（ｅＮｏｄｅ  Ｂ、ＬＴＥベースステーション）１０７と、ＭＭＥ１９１と、複数のＣＤＭＡ２０００システム１４０とを備えている。この例では、３つのＣＤＭＡ２０００システム１４０が示されている。各ＣＤＭＡ２０００システム１４０は、それに対応するｅＨＲＰＤシステム（例えば、ＲＡＮ）１４５と、１ｘＲＴＴシステム（例えば、ＲＡＮ）１４６とを含む。各ＣＤＭＡ２０００システム１４０は、図１では、ｅＨＲＰＤシステム１４５及び１ｘＲＴＴシステム１４５の両方と共に示されているが、各ＣＤＭＡ２０００システム１４０は、ｅＨＲＰＤシステム１４５だけを有してもよいし、１ｘＲＴＴシステム１４６だけを有してもよいし、又はｅＨＲＰＤシステム１４５及び１ｘＲＴＴシステム１４５の両方を有してもよい。ｅＮｏｄｅＢ１０７は、１つ以上のプロセッサ１５０と、１つ以上のメモリ１５５と、１つ以上のネットワークインターフェイス（Ｎ／Ｗ  Ｉ／Ｆ）１６１と、１つ以上のトランシーバ１６０（受信器Ｒｘ及び送信器Ｔｘを各々含む）とを備え、これらは、１つ以上のバス１５７を通して相互接続されている。１つ以上のトランシーバ１６０は、１つ以上のアンテナ１５８に接続される。１つ以上のメモリ１５５は、コンピュータプログラムコード１５３を含む。１つ以上のメモリ１５５及びコンピュータプログラムコード１５３は、規範的実施形態において、１つ以上のプロセッサ１５０とで、ｅＮｏｄｅＢ１０７に、ここに述べるオペレーションの１つ以上を遂行させるように構成される。１つ以上のネットワークインターフェイス１６１は、ネットワーク１７５のようなネットワークを経て通信する。
【００２２】
ＭＭＥ１９１は、１つ以上のプロセッサ１８０と、１つ以上のメモリ１９５と、１つ以上のネットワークインターフェイス（Ｎ／Ｗ  Ｉ／Ｆ）１９０とを備え、それらは、１つ以上のバス１８７を経て相互接続される。１つ以上のメモリ１９５は、コンピュータプログラムコード１９７を含む。１つ以上のメモリ１９５及びコンピュータプログラムコード１９７は、規範的な実施形態において、１つ以上のプロセッサ１８０とで、ＭＭＥ１９１に、ここに述べる１つ以上のオペレーションを遂行させるように構成される。１つ以上のネットワークインターフェイス１９０は、ネットワーク１７３、１７５のようなネットワークを経て通信する。
【００２３】
ｅＮｏｄｅＢ（ｅＮＢ）１０７及びＭＭＥ１９１は、例えば、ネットワーク１７５を使用して通信する。ネットワーク１７５は、ワイヤード又はワイヤレス或いはその両方であり、例えば、Ｓ１ＡＰプロトコル（例えば、３ＧＰＰ  ＴＳ３６．４１３を参照）を使用して、そして例えば、Ｓ１−ＭＭＥインターフェイスを実施することができる。ＭＭＥは、ネットワーク１７３を使用して、ＣＤＭＡ２０００システム１４０と通信する。ネットワーク１７３は、ワイヤード又はワイヤレス或いはその両方であり、そして例えば、１ｘＲＴＴについては３ＧＰＰ  ＴＳ２９．２７７に関してＳ１０２インターフェイスを実施し、且つｅＨＲＰＤについては３ＧＰＰ  ＴＳ２９．２７６に関してＳ１０１インターフェイスを実施することができる。
【００２４】
Ｅ−ＵＴＲＡＮシステムは、ｅＮＢ１０７（例えば、ＬＴＥ  ＲＡＮ）及びＭＭＥ１９１を備えている。Ｅ−ＵＴＲＡＮシステムは、１つ以上のＣＤＭＡ２０００システム１４０の上に横たわる。Ｅ−ＵＴＲＡＮ及びＣＤＭＡ２０００システムは、典型的に、図１に示す以上の多数のエレメントを備えることに注意されたい。例えば、ＣＤＭＡ２０００  １ｘシステムは、ＢＳＣ、ＭＳＣ、ＭＧＷ、及びＨＬＲを備えている。ＣＤＭＡ２０００ｅＨＲＰＤシステムは、ＰＣＦ、ＡＮ−ＡＡＡ、及びＨＳＧＷを含む。又、Ｅ−ＵＴＲＡＮシステムは、ＳＧＷ（サービングゲートウェイ）、ＰＤＮ−ＧＷ（パケットデータネットワークゲートウェイ）、ＰＣＲＦ（ポリシーコントロール及び課金ルール機能）、及びＨＳＳ（ホーム加入者サーバー）も備えている。これらシステムの各々について、コアネットワーク及びＲＡＮがある。例えば、ＬＴＥは、ＲＡＮ（例えば、ｅＮＢ１０７）と、ＭＭＥ１９１を含むＥＰＣとを有する。簡単化のために、図１は、ここに主として述べるこれらシステムの顕著なエレメントだけを示す。
【００２５】
コンピュータ読み取り可能なメモリ１２５、１５５及び１９５は、ローカルな技術環境に適した任意の形式のものであり、そして適当なデータ記憶技術、例えば、半導体ベースのメモリ装置、フラッシュメモリ、磁気メモリ装置及びシステム、光学的メモリ装置及びシステム、固定メモリ及び取り外し可能なメモリを使用して実施される。プロセッサ１２０、１５０及び１８０は、ローカル技術環境に適した任意の形式であり、そして非限定例として、汎用コンピュータ、特殊目的コンピュータ、マイクロプロセッサ、デジタル信号プロセッサ（ＤＳＰ）、及びマルチコアプロセッサアーキテクチャーをベースとするプロセッサ、の１つ以上を含む。
【００２６】
一般的に、ＵＥ１１０の種々の実施形態は、これに限定されないが、セルラー移動装置、スマートホン、ワイヤレス通信能力を有するパーソナルデジタルアシスタント（ＰＤＡ）、ワイヤレス通信能力を有するポータブルコンピュータ、ワイヤレス通信能力を有するデジタルカメラのような画像捕獲装置、ワイヤレス通信能力を有するゲーム機、ワイヤレス通信能力を有する音楽記憶及び再生機器、ワイヤレスインターネットアクセス及びブラウジングを許すインターネット機器、並びにそのような機能を組み合わせて合体するポータブルユニット又はターミナルを含む。
【００２７】
３つのＣＤＭＡ２０００システム１４０は、例えば、１ｘＲＴＴ及びｅＨＲＰＤサービスを（例えば、それに対応する１ｘＲＴＴシステム１４６及びｅＨＲＰＤシステム１４５を経て）ＵＥ１１０へ提供することができる。各ＣＤＭＡ２０００システム１４０は、システム識別子（ＳＩＤ）（又はネットワーク識別子ＮＩＤ）に対応する。更に、ｅＨＲＰＤシステム１４５は、その「サブネット」により識別されることに注意されたい。オペレータは、対応する１ｘＲＴＴネットワークのＳＩＤを使用して「サブネット」識別子を生成する。しかしながら、オペレータがＳＩＤを使用してサブネット識別子を生成するのは強制ではない。本開示は、一般的な用語「システム識別子」をサブネット及びＳＩＤの両方に使用する。上述したように、現在ＬＴＥ仕様は、単一のＬＴＥシステムと、各タイプ（１ｘＲＴＴ及びｅＨＲＰＤ）の単一のＣＤＭＡ２０００システムとの間の相互作用（例えば、ハンドオーバー、ＣＳＦＢ、ＳＲＶＣＣ手順）のみをサポートする。従って、ＬＴＥシステムが複数のＣＤＭＡ２０００システムとの重畳するカバレージエリアを有する場合に単一のＬＴＥシステムと複数のＣＤＭＡ２０００システムとの間の相互作用（例えば、ＣＤＭＡ２０００システムのシェアリング）をサポートすることが必要となる。ＥＰＣは、複数のオペレータに属する複数の１ｘＲＴＴシステム１４６への（例えば、複数のＩＷＳを経ての）接続性をサポートすることができる。加入者がＬＴＥネットワークに加入するときに、ＵＥは、ＵＥが事前登録手順を遂行するところの適当なネットワーク、例えば、１ｘＲＴＴネットワークを選択する。ＵＥは、例えば、ＣＤＭＡ２０００手順を使用して、１ｘＲＴＴネットワークを選択する（典型的にＰＲＬを使用して）。ＣＳＦＢ手順を開始するのに使用される拡張サービス要求手順は、選択された１ｘＲＴＴシステム識別子をＵＥが指示するのを許すように改善される必要がある。この１ｘＲＴＴシステム識別子は、ＭＭＥによりｅＮｏｄｅＢに与えられ、ｅＮｏｄｅＢは、適当な１ｘＲＴＴシステム特有のパラメータ、測定構成及び１ｘＲＴＴセル選択を使用して、ＵＥを選択された１ｘＲＴＴシステムへハンドオーバーさせることができる。それ故、ここに述べる規範的な実施形態では、ＵＥは、複数のＣＤＭＡシステム１４０から選択を行うことが許される。“ＲＡＮ”という語は、今日サポートされているものである同じシステムの複数のＲＡＮを意味することが推定されることに注意されたい。ここに述べる規範的実施形態は、独特の「システムｉｄ」を各々有する複数のＣＤＭＡ２０００システムへのインターフェイスを提供する。しかし、同時に、同じ「システムｉｄ」をもつ複数のＣＤＭＡ２０００ＲＡＮへの複数のインターフェイスもある。
【００２８】
本発明の規範的な実施形態は、更に、次のものを提供する。規範的な一実施形態において、ｅＮＢ１０７は、例えば、オーバーヘッドシグナリングメッセージにおいて１ｘＲＴＴ及びｅＨＲＰＤシステムのマッピングをＬＴＥ  ＰＬＭＮに与える。別の規範的な実施形態において、ＵＥ１１０は、そのマッピングを使用し、そして１ｘＲＴＴ及びｅＨＲＰＤに対する選択されたＣＤＭＡ２０００システム識別子（ＳＩＤ）を、例えば、ＲＲＣシグナリングメッセージにおいて、Ｅ−ＵＴＲＡＮのｅＮｏｄｅＢに指示する。更に別の規範的な実施形態では、Ｅ−ＵＴＲＡＮのｅＮｏｄｅＢ１０７は、ＣＤＭＡ２０００システム識別子を、例えば、Ｓ１ＡＰシグナリングメッセージにおいて、ＭＭＥ１９１に指示する。別の規範的な実施形態では、ＭＭＥ１９１は、１ｘ回路交換フォールバック手順のために、選択されたＣＤＭＡ２０００システム識別子をシグナリングメッセージにおいてｅＮｏｄｅＢ１０７に指示する。Ｅ−ＵＴＲＡＮのｅＮｏｄｅＢ１０７は、１ｘＲＴＴ  ＣＳフォールバック、ｅＨＲＰＤへのハンドオーバー及びＳＲＶＣＣ手順のために、ＣＤＭＡ２０００システム識別子をハンドオーバーシグナリングメッセージにおいてＭＭＥ１９１に指示する。
【００２９】
より特定の規範的な実施形態において、ｅＮｏｄｅＢ１０７は、１ｘＲＴＴ／ＨＲＰＤシステムのマッピングをオーバーヘッドシグナリングメッセージにおいてＬＴＥ  ＰＬＭＮへブロードキャストする。ＵＥ１１０は、Ｅ−ＵＴＲＡＮにおいてブロードキャストされた複数のＣＤＭＡ２０００システムの情報を使用してサービングＣＤＭＡ２０００システム（例えば、１ｘＲＴＴ及びｅＨＲＰＤのＳＩＤ／ＮＩＤ）を選択し、そしてその選択されたＣＤＭＡ２０００システムの識別子をシグナリングメッセージにおいてｅＮｏｄｅＢ１０７に指示する。ｅＮｏｄｅＢ１０７は、その選択されたＣＤＭＡ２０００システムに特有のパラメータをＵＥ１１０へ送信する。ｅＮｏｄｅＢ１０７は、その選択されたＣＤＭＡ２０００システムの識別子をシグナリングメッセージにおいてＭＭＥ１９１に指示する。ＭＭＥ１９１は、登録及びハンドオーバーシグナリング手順の間に、その選択されたＣＤＭＡ２０００システムの識別子及びそれに関連した参照セル情報を使用して、ＣＤＭＡ２０００シグナリングメッセージを適当な１ｘＲＴＴ及びｅＨＲＰＤネットワーク（例えば、ＣＤＭＡ２０００システム１４０）へルーティングする。ＵＥ１１０は、その選択されたＣＤＭＡ２０００システムの識別子を１ｘＲＴＴ  ＣＳフォールバックシグナリングメッセージにおいてＭＭＥ１９１に与え、次いで、ＭＭＥ１９１は、その選択されたＣＤＭＡ２０００システムの識別子をＣＳフォールバック手順のためにｅＮｏｄｅＢに与える。
【００３０】
それ故、本発明は、ある規範的実施形態において、ＵＥ１１０がその好ましい１ｘＲＴＴ及びｅＨＲＰＤシステム情報をネットワーク１１０に（例えば、ｅＮｏｄｅＢ１０７に又はそれを通して）指示して、Ｅ−ＵＴＲＡＮ及びＥＰＣが、例えば、ＣＤＭＡ２０００シグナリングメッセージをＵＥと選択されたＣＤＭＡシステム１４０との間にＬＴＥシグナリングトンネルを経てルーティングできるようにする技術を提供する。
【００３１】
図２を参照すれば、１ｘＲＴＴ／ｅＨＲＰＤ事前登録手順のための規範的なシグナリング図が示されている（３ＧＰＰ  ＴＳ２３．２７２、及び３ＧＰＰ  ＴＳ２３．４０２も参照されたい）。事前登録手順は、ＵＥとｅＨＲＰＤ／１ｘＲＴＴシステムとの間で行われる。事前登録手順は、１つの意味として、１ｘＲＴＴ／ｅＨＲＰＤのための加入手順の等効物である（例えば、以下のオペレーションを参照）。このコールフローは、１ｘＲＴＴ及びｅＨＲＰＤのための事前登録を示す。実際には、それらは、同じＬＴＥシグナリングを使用する２つの個別の独立した手順である。しかしながら、ＣＳＦＢＰａｒａｍｅｔｅｒｓＲｅｑｕｅｓｔ／ＣＳＦＢＰａｒａｍｅｔｅｒｓＲｅｓｐｏｎｓｅメッセージは、１ｘＲＴＴに対して事前登録に適用されるだけである。１ｘＲＴＴの事前登録及びｅＨＲＰＤの事前登録に対して２つの個別のコールフローがある（図示された１つではなく）。唯一の相違は、図２のコールフローにおけるオペレーション６、７、８、９が１ｘＲＴＴの事前登録についてのみ示していることである。
【００３２】
ＵＥは、３つの無線アクセス技術、即ち１ｘＲＴＴ、ｅＨＲＰＤ、及びＬＴＥ、を実施することができる。この場合には、ＵＥは、ＵＥがＬＴＥに加入した後に１ｘＲＴＴ及びｅＨＲＰＤに別々に事前登録される。ＣＳＦＢは、ＵＥがＬＴＥに加入するときに、１ｘボイスコールを行うためにＵＥにより使用される手順である。ＵＥは、それがボイスコールを行いたいときに、図４に示す「拡張サービス要求」手順を開始し、１ｘにおける１ｘボイスコールを行うために１ｘＲＴＴへのハンドオーバーをトリガーする。「回路交換」は、１ｘＲＴＴを指し、そして「フォールバック」は、ボイスコールを行うためのＬＴＥから１ｘへのフォールバックを指す。
【００３３】
図２のオペレーション１において、ｅＮｏｄｅＢ１０７は、ＬＴＥ  ＰＬＭＮ  ＩＤのリストを収容するＬＴＥ  ＰＬＭＮＩｄリストを含むＳＩＢ１メッセージをシグナリングする。典型的に、ＬＴＥ  ＰＬＭＮ  ＩＤは、ＭＣＣ、ＭＮＣ（移動カントリーコード、移動ネットワークコード）である。従って、ＬＴＥ  ＰＬＭＮ  ＩＤは、ネットワークオペレータを識別する。従って、ＬＴＥ  ＰＬＭＮ  ＩＤは、ネットワークオペレータを識別する。オペレーション２において、ｅＮｏｄｅＢ１０７は、ＣＤＭＡ／ｅＨＲＰＤ  ＲＡＮ特有のパラメータ、及びＣＤＭＡ−ＬＴＥ−ＰＬＭＮマッピングを含むＳＩＢ８メッセージをシグナリングする。より詳細には、オペレーション３において、ｅＮｏｄｅＢは、ＣＤＭＡ／ｅＨＲＰＤ  ＲＡ特有のパラメータを経て、複数の１ｘＲＴＴ及びｅＨＲＰＤシステム（例えば、ＣＤＭＡシステム１４０）のためのパラメータを与える。オペレーション４において、ｅＮｏｄｅＢ１０７は、１ｘＲＴＴ／ＨＲＰＤシステムのマッピングを（オペレーション２の「ＣＤＭＡ−ＬＴＥ−ＰＬＭＮマッピング」において）ＬＴＥ  ＰＬＭＮに与える。従って、ｅＮｏｄｅＢ１０７は、１ｘＲＴＴ及びｅＨＲＰＤシステムのマッピングをＳＩＢ８シグナリングメッセージにおいてＬＴＥ  ＰＬＭＮに与える。ｅＮｏｄｅＢ１０７は、マッピングをそのデータベース構成の一部分として得、例えば、ＬＴＥシステムオペレータは、マッピングをｅＮｏｄｅＢのデータベースへプロビジョニングする。このマッピングは、図２−５の各々において与えられるが、図２にしか示されていないことに注意されたい。
【００３４】
このマッピングに関しては、ｅＮｏｄｅＢ１０７及びＭＭＥ１９１が、ＬＴＥ  ＰＬＭＮ、例えば、ＬＴＥ  ＰＬＭＮ１のためのものであるケースがある。それ故、ＬＴＥ  ＰＬＭＮ１は、ＣＤＭＡシステム１４０−１、１４０−２及び１４０−３へマッピングされる。しかしながら、Ｅ−ＵＴＲＡＮが複数のＬＴＥオペレータの間でシェアされることも考えられる。例えば、各ＬＴＥオペレータＰＬＭＮ１、ＰＬＭＮ２は、Ｅ−ＵＴＲＡＮが個別のエンティティにより所有されるか又はＬＴＥ  ＰＬＭＮの１つに属する場合には、同じＥ−ＵＴＲＡＮ（ｅＮｏｄｅＢ）をシェアすることができる。このケースでは、ｅＮｏｄｅＢは、複数のＰＬＭＮ（例えば、そのＩＤ）をＳＩＢ１においてブロードキャストする。ＳＩＢ８は、複数のＣＤＭＡ２０００システムのマッピングを複数のＬＴＥ  ＰＬＭＮに示す。
【００３５】
従って、オペレータ１は、ＥＰＣ及びＥ−ＵＴＲＡＮの両方を伴うＬＴＥオペレータＰＬＭＮ１として働くことができる。オペレータ１は、オペレータ２（ＰＬＭＮ２）のような別のオペレータのパートナーであり、この別のオペレータは、Ｅ−ＵＴＲＡＮをもたないが、オペレータ１自身のＬＴＥサービスに加えてオペレータ２のためのＬＴＥサービスを提供するためにＭＭＥ／ＥＰＣを有している。このケースでは、オペレータ１のｅＮｏｄｅＢは、ＰＬＭＮ１及びＰＬＭＮ２をブロードキャストする。更に、ＬＴＥ装置をもたないがオペレータ１又はオペレータ２とパートナーであって、ＣＤＭＡ２０００の加入者がＰＬＭＮ１又はＰＬＭＮ２に加入しそしてＬＴＥサービスを受けて１ｘボイスコールのためにそれ自身のＣＤＭＡ２０００ネットワークへハンドオーバーすることを許す他のＣＤＭＡ２０００オペレータもいる。
【００３６】
例：各ＬＴＥ  ＰＬＭＮ１、ＰＬＭＮ２、ＰＬＭＮ３は、複数のＣＤＭＡシステムＳＩＤ１／ＮＩＤ１、ＳＩＤ２／ＮＩＤ２、ＳＩＤ３／ＮＩＤ３、ＳＩＤ４／ＮＩＤ４へ次のようにマップされる。
ＳＩＤ１／ＮＩＤ１  →  ＰＬＭＮ１、ＰＬＭＮ３
ＳＩＤ２／ＮＩＤ２  →  ＰＬＭＮ１、ＰＬＭＮ２、ＰＬＭＮ３
ＳＩＤ３／ＮＩＤ３  →  ＰＬＭＮ２
ＳＩＤ４／ＮＩＤ４  →  ＰＬＭＮ１、ＰＬＭＮ２
【００３７】
オペレーション５において、ＵＥ１１０は、ｅＨＲＰＤシステム、１ｘＲＴＴシステム及びＬＴＥ  ＰＬＭＮを選択し、そしてＭＭＥ１９１に加入する。加入手順（オペレーション５）は、ＭＭＥに対するものである。選択される１ｘＲＴＴ及びｅＨＲＰＤシステムは、個別のＣＤＭＡ２０００システム１４０から選択される。オペレーション６において、ＵＥは、選択された１ｘＲＴＴ  ＳＩＤ／ＮＩＤ情報をＣＳＦＢＰａｒａｍｅｔｅｒｓＲｅｑｕｅｓｔＣＤＭＡ２０００シグナリングメッセージにおいてｅＮｏｄｅＢに与える。即ち、オペレーション７において、ＵＥ１１０は、選択された１ｘＲＴＴシステムをｅＮｏｄｅＢ１０７に指示する。ｅＮｏｄｅＢ１０７は、オペレーション９において、選択された１ｘＲＴＴ  ＰＬＭＮのためのＣＤＭＡ２０００パラメータ（ＣＤＭＡ２０００Ｐａｒｍｓ）をＣＳＦＢＰａｒａｍｅｔｅｒｓＲｅｓｐｏｎｓｅＣＤＭＡ２０００メッセージ（オペレーション８）においてＵＥに与える。
【００３８】
オペレーション１０において、ＵＥ１１０は、１ｘＲＴＴ  ＳＩＤ／ＮＩＤ又はｅＨＲＰＤ  ＳＩＤ／ＮＩＤの１つを含むＵＬＩｎｆｏｒｍａｔｉｏｎＴｒａｎｓｆｅｒメッセージを経てｅＮｏｄｅＢ１０７へシグナリングする。このＵＬＩｎｆｏｒｍａｔｉｏｎＴｒａｎｓｆｅｒメッセージは、１ｘＲＴＴ又はｅＨＲＰＤのいずれかを搬送するが、両方は搬送しない。従って、１ｘＲＴＴ事前登録メッセージがこのメッセージにおいて搬送される場合には、１ｘＲＴＴ  ＳＩＤ／ＮＩＤが使用される。ｅＨＲＰＤ事前登録メッセージがこのメッセージにおいて搬送される場合には、ｅＨＲＰＤ識別子が使用される（例えば、サブネット）。即ち、ＵＥ１１０は、オペレーション１１において、事前登録が遂行される１ｘＲＴＴシステム又はｅＨＲＰＤシステムを指示する。上述したように、典型的に、ｅＨＲＰＤ「サブネット」は、ｅＨＲＰＤ識別子として使用される。従って、ｅＨＲＰＤの“ＳＩＤ／ＮＩＤ”は、典型的に、サブネットである。しかしながら、ｅＨＲＰＤシステムを識別するのに適したシステム識別子が使用されてもよい。同様に、１ｘＲＴＴシステムを識別するためにＳＩＤ／ＮＩＤが図中に使用されているが、１ｘＲＴＴシステムを識別するのに適した任意のシステム識別子が使用されてもよい。オペレーション１２において、ｅＮｏｄｅＢ１０７は、ＵＰＬＩＮＫ  Ｓ１  ＣＤＭＡ２０００  ＴＵＮＮＥＬＩＮＧシグナリングを遂行し、１ｘＲＴＴ  ＳＩＤ／ＮＩＤ又はｅＨＲＰＤ  ＳＩＤ／ＮＩＤ及びＣＤＭＡ２０００  ＳｅｃｔｏｒＩＤを含む。即ち、オペレーション１３において、ｅＮｏｄｅＢ１０７は、ＵＥ１１０により事前登録が要求されるところのＣＤＭＡ／ＨＲＰＤシステムをＭＭＥ１９１に指示する。
【００３９】
オペレーション１４において、ＭＭＥ１９１は、ＲＡＴごとにｅＮｏｄｅＢによって与えられるＣＤＭＡ２０００  セクタＩＤ及び１ｘＲＴＴ又はｅＨＲＰＤ  ＳＩＤ／ＮＩＤ情報を使用して行先システム（ＣＤＭＡ２０００  ＳＩＤ−Ａ  １４０−１又はＣＤＭＡ２０００−ＳＩＤ  Ｂ  １４０−２又は他のＣＤＭＡ２０００  ＳＩＤ  １４０−３）（及びそれに対応するシステム１４５／１４６）へ事前登録情報をルーティングする。
【００４０】
オペレーション１５において、ＭＭＥ１９１は、ＤＯＷＮＬＩＮＫ  Ｓ１  ＣＤＭＡ２０００  ＴＵＮＮＥＬＩＮＧメッセージを経てｅＮｏｄｅＢ１０７へシグナリングする。オペレーション１６において、ｅＮｏｄｅＢ１０７は、ＤＬＩｎｆｏｒｍａｔｉｏｎＴｒａｎｓｆｅｒメッセージを経てＬＥ１１０へシグナリングする。これらのメッセージは、トンネル化１ｘＲＴＴ／ｅＨＲＰＤ事前登録応答メッセージを、それに対応する１ｘＲＴＴ／ｅＨＲＰＤシステムから搬送する。それらは、オペレーション１２で送信された事前登録メッセージに対する応答である。
【００４１】
図３を参照すれば、ｅＨＲＰＤシステムへハンドオーバーするための規範的なシグナリング図が示されている（３ＧＰＰ  ＴＳ２３．４０２も参照されたい）。オペレーション１において、ＵＥは、ＭｅａｓｕｒｅｍｅｎｔＲｅｐｏｒｔ（例えば、選択されたｅＨＲＰＤ  ＳＩＤ／ＮＩＤを含む）をＭＭＥ１９１へシグナリングする。即ち、ＵＥ１１０は、オペレーション２において、ｅＮｏｄｅＢ１０７が複数の１ｘＲＴＴ／ｅＨＲＰＤシステムのためのサポートをＳＩＢ８メッセージングでブロードキャストするときに、選択されたｅＨＲＰＤシステムを全ての測定レポートにおいて与える。この特定例は、ｅＨＲＰＤハンドオーバーに関連していることに注意されたい。
【００４２】
オペレーション３において、ｅＮｏｄｅＢ１０７は、選択されたｅＨＲＰＤシステムにおける（ＵＥ１１０からの）測定を要求する。オペレーション４において、ＵＥ１１０は、選択されたｅＨＲＰＤ  ＳＩＤ／ＮＩＤを含むＭｅａｓｕｒｅｍｅｎｔＲｅｐｏｒｔメッセージをシグナリングする。従って、ＵＥ１１０は、選択されたｅＨＲＰＤシステム及びｅＨＲＰＤ登録状態を指示する（オペレーション５）。ＵＥ１１０がｅＨＲＰＤシステム１４５に登録されると、ＵＥ１１０は、実際に、ｅＨＲＰＤシステム１４５に加入し、即ちＵＥ１１０は、ｅＨＲＰＤシステム１４５とのセッションを有する。ＵＥ１１０は、ｅＨＲＰＤシステム１４５とのワイヤレスインターフェイスを経てｅＨＲＰＤシステムに接続されるのではなく、むしろ、リンク１１５（及びそれに対応するインターフェイス）並びにリンク１７５、１７３及びそれに対応するインターフェイスを経てｅＨＲＰＤシステム１４５に接続される。オペレーション６において、ｅＮｏｄｅＢ１０７は、ＨａｎｄｏｖｅｒＦｒｏｍＥＵＴＲＡＰｒｅｐａｒａｔｉｏｎＲｅｑｕｅｓｔ（）メッセージをＵＥ１１０へシグナリングする。即ち、ｅＮｏｄｅＢ１０７は、オペレーション７において、ｅＨＲＰＤシステムへのハンドオーバー手順を開始するようにＵＥに要求する。選択されたシステムは、ＵＥ１１０に与えられる必要がない。というのは、ＵＥ１１０は、選択されたｅＨＲＰＤシステム指示子（例えば、サブネット）、及びハンドオーバーをトリガーした測定レポートの事前登録状態、により指示される１つのｅＨＲＰＤシステムのみに登録されたままとなるからである。
【００４３】
オペレーション８において、ＵＥ１１０は、ＵＬＨａｎｄｏｖｅｒＰｒｅｐａｒａｔｉｏｎＴｒａｎｓｆｅｒ（ＨＲＰＤ）メッセージで応答する。ｅＮｏｄｅＢ１０７は、オペレーション９において、ｅＨＲＰＤ  ＳＩＤ／ＮＩＤ及びＣＤＭＡ２０００  ＳｅｃｔｏｒＩＤを含むＵＰＬＩＮＫ  Ｓ１  ＣＤＭＡ２０００  ＴＵＮＮＥＬＩＮＧメッセージをシグナリングする。即ち、オペレーション１０において、ｅＮｏｄｅＢ１０７は、ハンドオーバーが要求されるｅＨＲＰＤシステムを指示する（ｅＨＲＰＤ  ＳＩＤ／ＮＩＤを経て）。
【００４４】
オペレーション１１において、ＭＭＥ１９１は、ｅＮｏｄｅＢ１０７により与えられるｅＨＲＰＤ  ＳＩＤ／ＮＩＤ情報及びＣＤＭＡ２０００  ＳｅｃｔｏｒＩＤを使用して、ハンドオーバー情報を行先システム（例えば、ＲＡＮ）（例えば、システムＣＤＭＡ２０００  ＳＩＤ−Ａ  １４０−１又はＣＤＭＡ２０００−ＳＩＤ  Ｂ  １４０−２又は他のＣＤＭＡ２０００  ＳＩＤ  １４０−３の一部分）へルーティングする。例えば、ＵＥは、ＬＴＥメッセージにおいてＬＴＥシステムを経てｅＨＲＰＤシステムへ（オペレーション８の“ｅＨＲＰＤ”で示された）ｅＨＲＰＤメッセージを送信する。従って、ＵＬＨａｎｄｏｖｅｒＰｒｅｐａｒａｔｉｏｎＴｒａｎｓｆｅｒメッセージは、オペレーション９において、ＭＭＥ１９１に送信されたｅＨＲＰＤメッセージを含み、次いで、ＭＭＥ１９１は、オペレーション１１において、ｅＨＲＰＤメッセージをｅＨＲＰＤシステムへ送信する。オペレーション１２において、ＭＭＥ１９１は、ＤＯＷＮＬＩＮＫ  Ｓ１  ＣＤＭＡ２０００  ＴＵＮＮＥＬＩＮＧ（）メッセージ（このメッセージは、ｅＨＲＰＤシステムによりＭＭＥを経てＵＥへ送信される応答ｅＨＲＰＤメッセージを含む）をｅＮｏｄｅＢ１０７へシグナリングする。オペレーション１３において、ｅＮｏｄｅＢ１０７は、ＭｏｄｉｆｙＦｒｏｍＥＵＴＲＡＣｏｍｍａｎｄ（）メッセージをＵＥ１１０へシグナリングし、そしてオペレーション１４において、ＵＥは、ＵＥが登録されているｅＨＲＰＤシステム１４５とのハンドオーバーシグナリングを開始する。
【００４５】
ｅＨＲＰＤ  ＰＬＭＮへの同時ハンドオーバーを伴う１ｘＣＳＦＢ対１ｘＲＴＴのための規範的シグナリング図である図４Ａ及び４Ｂより成る図４について以下に述べる（３ＧＰＰ  ＴＳ２３．２７２も参照）。ｅＨＲＰＤへの同時ハンドオーバーを伴うＣＳＦＢ手順では、ＵＥがボイスコールを行うときに、ＣＳＦＢ手順を使用してＵＥをボイスコールに対して１ｘＲＴＴへハンドオーバーする。同時に、ＵＥのＬＴＥパケットデータセッションがｅＨＲＰＤへ転送され、即ちパケットデータサービス（例えば、ウェブブラウジング）がｅＨＲＰＤにより提供される。このケースでは、ＬＴＥパケットセッションは、ｅＨＲＰＤシステム１４５へのハンドオーバー後に終了となる。
【００４６】
ＣＳＦＢ中のｅＨＲＰＤへの同時ハンドオーバーは、任意である。即ち、ＬＴＥシステムは、パケットデータセッションｅＨＲＰＤをハンドオーバーしないと決定し、セッションをＬＴＥに保持し、そしてボイスコールのためにＵＥを１ｘのみに送る。このケースでは、パケットデータセッションは、ＬＴＥに保持されて保留される。ＵＥが１ｘＲＴＴにおいてボイスコールを完了すると、ＵＥは、ＬＴＥへ復帰し、ＬＴＥにおいてパケットデータセッション（例えば、ウェブブラウジング）を再開する。図４は、コールフローにおける同時のＣＳＦＢ／ｅＨＲＰＤハンドオーバーを示す。というのは、それが最も複雑なケースだからである。
【００４７】
この例では、ＵＥ１１０は、オペレーション１において、選択された１ｘＲＴＴ  ＳＩＤ／ＮＩＤ及び選択されたｅＨＲＰＤ  ＳＩＤ／ＮＩＤを含むＭｅａｓｕｒｅｍｅｎｔＲｅｐｏｒｔメッセージをｅＮｏｄｅＢ１０７へシグナリングする。即ち、ＵＥは、ｅＮｏｄｅＢ１０７が複数の１ｘＲＴＴ／ｅＨＲＰＤシステムのためのサポートをＳＩＢ８メッセージングにおいてブロードキャストするとき、選択された１ｘＲＴＴ及びｅＨＲＰＤ  ＳＩＤ／ＮＩＤを全ての測定レポートにおいて与える（オペレーション２）。このコールフローにおいて、２つのケースについて考え、１つは、ＵＥがアイドルモードにある場合であり（以下のオペレーション５Ａを参照）、もう１つは、ＵＥが接続モードにある場合である（即ち、ｅＮｏｄｅＢ１０７へのアクティブな接続を有する；以下のオペレーション５Ｂを参照）。アイドルモードでは、オペレーション１及び２が遂行されず、オペレーション１及び２は、接続モードに対して遂行することができる。
【００４８】
オペレーション３において、ＵＥ１１０は、選択された１ｘＲＴＴ  ＳＩＤ／ＮＩＤを含む拡張サービス要求メッセージを（例えば、ｅＮｏｄｅＢ１０７を通して）ＭＭＥ１９１へシグナリングし、従って、ＵＥは、選択された１ｘＲＴＴシステムをＣＳＦＢ要求において指示する（オペレーション４）。
【００４９】
ＭＭＥ１９１は、オペレーション５Ａ又は５Ｂの一方を遂行する。オペレーション５Ａでは、ＭＭＥ１９１は、選択された１ｘＲＴＴ  ＳＩＤ／ＮＩＤを含むＩＮＩＴＩＡＬ  ＣＯＮＴＥＸＴ  ＳＥＴＵＰ  ＲＥＱＵＥＳＴメッセージをｅＮｏｄｅＢ１０７へシグナリングする。このＩＮＩＴＩＡＬ  ＣＯＮＴＥＸＴ  ＳＥＴＵＰ  ＲＥＱＵＥＳＴメッセージは、ＵＥがＬＴＥにおいてアイドルである間にＵＥがＣＳＦＢ手順を開始するときに使用される。オペレーション５Ｂにおいて、ＭＭＥ１９１は、選択された１ｘＲＴＴ  ＳＩＤ／ＮＩＤを含むＵＥ  ＣＯＮＴＥＸＴ  ＭＯＤＩＦＩＣＡＴＩＯＮ  ＲＥＱＵＥＳＴメッセージをｅＮｏｄｅＢ１０７へシグナリングする。このＵＥ  ＣＯＮＴＥＸＴ  ＭＯＤＩＦＩＣＡＴＩＯＮ  ＲＥＱＵＥＳＴメッセージは、ＵＥがＬＴＥサービスのためにｅＮｏｄｅＢへのアクティブな接続を有するときにＵＥがＣＳＦＢ手順を開始するときに使用される。それ故、ＭＭＥ１９１は、選択された１ｘＲＴＴシステムをｅＮｏｄｅＢ１０７へ送る（オペレーション６）。これは、ｅＮｏｄｅＢ１０７が、ＵＥ１１０からの測定レポートを最初に待機することなく、ＵＥ１１０による測定を要求できるようにする。
【００５０】
オペレーション７において、ｅＮｏｄｅＢ１０７は、選択された１ｘＲＴＴシステムにおけるＣＤＭＡ２０００測定を要求する（そしてＵＥは測定を実行する）。オペレーション８において、ｅＮｏｄｅＢ１０７は、選択されたｅＨＲＰＤシステムにおけるＣＤＭＡ２０００測定を要求する（そしてＵＥは測定を実行する）。オペレーション９において、ＵＥは、選択された１ｘＲＴＴ  ＳＩＤ／ＮＩＤ及び選択されたｅＨＲＰＤ  １ｘＲＴＴと共にＭｅａｓｕｒｅｍｅｎｔＲｅｐｏｒｔをシグナリングする（例えば、各々、１ｘＲＴＴ及びｅＨＲＰＤシステム１４６、１４５に対する測定）。ＵＥは、個別のＭｅａｓｕｒｅｍｅｎｔＲｅｐｏｒｔ（１ｘＲＴＴ測定を伴うもの及びｅＨＲＰＤ測定を伴う別のもの）を送信する。従って、ＵＥは、選択された１ｘＲＴＴ及びｅＨＲＰＤシステムを指示する（オペレーション１０）。
【００５１】
オペレーション１１において、ｅＮｏｄｅＢ１０７は、ＨａｎｄｏｖｅｒＦｒｏｍＥＵＴＲＡＰｒｅｐａｒａｔｉｏｎＲｅｑｕｅｓｔ（）メッセージをＵＥ１１０へシグナリングし、従って、ｅＮｏｄｅＢは、ｅＨＲＰＤへの同時ハンドオーバーを伴う１ｘＲＴＴへのハンドオーバーを要求する（オペレーション１２）。オペレーション１３において、ＵＥ１１０は、１ｘＲＴＴメッセージを含むＵＬＨａｎｄｏｖｅｒＰｒｅｐａｒａｔｉｏｎＴｒａｎｓｆｅｒメッセージをｅＮｏｄｅＢ１０７へシグナリングする。オペレーション１４において、ＵＥ１１０は、ｅＨＲＰＤメッセージを含むＵＬＨａｎｄｏｖｅｒＰｒｅｐａｒａｔｉｏｎＴｒａｎｓｆｅｒメッセージをｅＮｏｄｅＢ１０７へシグナリングする。
【００５２】
オペレーション１５において、ｅＮｏｄｅＢ１０７は、ｅＨＲＰＤ  ＳＩＤ／ＮＩＤを含むＵＰＬＩＮＫ  Ｓ１  ＣＤＭＡ２０００  ＴＵＮＮＥＬＩＮＧメッセージをＭＭＥ１９１へシグナリングする。即ち、ｅＮｏｄｅＢ１０７は、ハンドオーバーが要求されるｅＨＲＰＤシステム１４５を指示する（オペレーション１６）。オペレーション１７において、ｅＮｏｄｅＢ１０７は、１ｘＲＴＴ  ＳＩＤ／ＮＩＤを含むＵＰＬＩＮＫ  Ｓ１  ＣＤＭＡ２０００  ＴＵＮＮＥＬＩＮＧメッセージをＭＭＥ１９１へシグナリングする。従って、ｅＮｏｄｅＢ１０７は、ハンドオーバーが要求される１ｘＲＴＴシステム１４６を指示する（オペレーション１８）。
【００５３】
オペレーション１９において、ＭＭＥ１９１は、ＲＡＴごとにｅＮｏｄｅＢによって与えられるＣＤＭＡ２０００  セクタＩＤ及び１ｘＲＴＴ又はｅＨＲＰＤ  ＳＩＤ／ＮＩＤ情報を使用して行先ＣＤＭＡ２０００システム（例えば、システムＣＤＭＡ２０００  ＳＩＤ−Ａ  １４０−１又はＣＤＭＡ２０００−ＳＩＤ  Ｂ  １４０−２又は他のＣＤＭＡ２０００  ＳＩＤ  １４０−３）へハンドオーバー情報をルーティングする。この例のハンドオーバー情報は、オペレーション１３からの１ｘＲＴＴメッセージと、オペレーション１４からのｅＨＲＰＤメッセージとを含む。オペレーション２０において、ＭＭＥ１９１は、ＤＯＷＮＬＩＮＫ  Ｓ１  ＣＤＭＡ２０００  ＴＵＮＮＥＬＩＮＧ（）メッセージをｅＮｏｄｅＢ１０７へシグナリングし、そしてオペレーション２１において、ＭＭＥ１９１は、ＤＯＷＮＬＩＮＫ  Ｓ１  ＣＤＭＡ２０００  ＴＵＮＮＥＬＩＮＧ（）メッセージをｅＮｏｄｅＢ１０７へシグナリングする。これらのメッセージは、１ｘＲＴＴ及びｅＨＲＰＤシステムからの対応する応答メッセージを含む。例示として、ＵＥは、各システムへ個別の要求メッセージをトンネリングすることにより、１ｘＲＴＴへのハンドオーバーを要求すると同時に、ｅＨＲＰＤへのハンドオーバーを要求する。次いで、各システム（例えば、１４５、１４６）は、各スタック、即ち１ｘＲＴＴスタックを１ｘＲＴＴシステム１４６へそしてｅＨＲＰＤスタックをｅＨＲＰＤシステム１４５へハンドオーバーするためにＵＥが使用する情報と共に応答メッセージを送信する。
【００５４】
オペレーション２２において、ｅＮｏｄｅＢ１０７は、ＭｏｂｉｌｉｔｙＦｒｏｍＥＵＴＲＡＣｏｍｍａｎｄ（）をＵＥ１１０へシグナリングする。このメッセージは、１ｘＲＴＴ及びｅＨＲＰＤの両システムからの応答メッセージを含む。従って、ｅＮＢは、それが両応答メッセージを受信するまで待機し、そして両応答をこのメッセージに入れ、両システムへの同時ハンドオーバーをトリガーする。この例では、ｅＨＲＰＤ及び１ｘＲＴＴシステムは、互いに独立しており、そのため、ＵＥは、各システムへ独立したシグナリングメッセージを送信する。オペレーション２３において、ＵＥ１１０は、ＣＳＦＢのための１ｘＲＴＴシステムとの、及び同時ｅＨＲＰＤハンドオーバーのためのｅＨＲＰＤシステムとのハンドオーバーシグナリングを開始する。
【００５５】
図５を参照すれば、１ｘＲＴＴ  ＰＬＭＮへのＶｏＩＰコールのＳＲＶＣＣ（単一無線ボイスコール連続性）のための規範的なシグナリング図が示されている（３ＧＰＰ  ＴＳ２３．２１６を参照）。オペレーション１において、ＵＥ１１０は、選択された１ｘＲＴＴ  ＳＩＤ／ＮＩＤを含むＭｅａｓｕｒｅｍｅｎｔＲｅｐｏｒｔメッセージをシグナリングする。従って、ＵＥは、ｅＮｏｄｅＢ１０７が複数の１ｘＲＴＴシステム１４６のためのサポートをＳＩＢ８メッセージングにおいてブロードキャストするときに、選択された１ｘＲＴＴシステムを全ての測定レポートにおいて与える（オペレーション２）。
【００５６】
オペレーション３において、ｅＮｏｄｅＢ１０７は、選択された１ｘＲＴＴシステムにおける測定を要求する（そしてＵＥ１１０が測定を実行する）。オペレーション４において、ＵＥ１１０は、選択された１ｘＲＴＴ  ＳＩＤ／ＮＩＤを含むＭｅａｓｕｒｅｍｅｎｔＲｅｐｏｒｔメッセージをｅＮｏｄｅＢ１０７へシグナリングし、それ故、ＵＥ１１０は、例えば、１ｘＲＴＴ  ＳＩＤ／ＮＩＤを経て、選択された１ｘＲＴＴシステムを指示する（オペレーション５）。
【００５７】
オペレーション６において、ｅＮｏｄｅＢ１０７は、ＨａｎｄｏｖｅｒＦｒｏｍＥＵＴＲＡＰｒｅｐａｒａｔｉｏｎＲｅｑｕｅｓｔ（）メッセージでＵＥ１１０に応答する。それ故、ｅＮｏｄｅＢ１０７は、１ｘＲＴＴシステムへのハンドオーバー手順を開始するようにＵＥに要求する（オペレーション７）。選択されたシステムは、オペレーション６のメッセージングにおいてＵＥ１１０に与えられる必要はない。オペレーション８において、ＵＥ１１０は、１ｘＲＴＴメッセージと共にＵＬＨａｎｄｏｖｅｒＰｒｅｐａｒａｔｉｏｎＴｒａｎｓｆｅｒ（）メッセージをｅＮｏｄｅＢ１０７へシグナリングする。オペレーション９において、ｅＮｏｄｅＢ１０７は、１ｘＲＴＴ  ＳＩＤ／ＮＩＤ及びＣＤＭＡ２０００  ＳｅｃｔｏｒＩＤを含むＵＰＬＩＮＫ  Ｓ１  ＣＤＭＡ２０００  ＴＵＮＮＥＬＩＮＧメッセージをＭＭＥ１９１へシグナリングする。その結果、ｅＮｏｄｅＢ１０７は、ハンドオーバーが要求されるところの１ｘＲＴＴシステムをＭＭＥに指示する（オペレーション１０）。
【００５８】
オペレーション１１において、ＭＭＥ１９１は、ｅＮｏｄｅＢによって与えられる１ｘＲＴＴ  ＳＩＤ／ＮＩＤ情報及びＣＤＭＡ２０００  ＳｅｃｔｏｒＩＤを使用して行先システム（例えば、システムＣＤＭＡ２０００  ＳＩＤ−Ａ  １４０−１又はＣＤＭＡ２０００−ＳＩＤ  Ｂ  １４０−２又は他のＣＤＭＡ２０００  ＳＩＤ  １４０−３）へハンドオーバー要求情報をルーティングする。このハンドオーバー要求情報は、オペレーション８からの１ｘＲＴＴメッセージを含む。オペレーション１２において、ＭＭＥ１９１は、１ｘＲＴＴからのハンドオーバー応答メッセージを含むＤＯＷＮＬＩＮＫ  Ｓ１  ＣＤＭＡ２０００  ＴＵＮＮＥＬＩＮＧ（）メッセージをｅＮｏｄｅＢ１０７へシグナリングする。オペレーション１３において、ｅＮｏｄｅＢ１０７は、ＭｏｄｉｆｙＦｒｏｍＥＵＴＲＡＣｏｍｍａｎｄ（）メッセージをＵＥ１１０へシグナリングする。オペレーション１４において、ＵＥ１１０は、選択された１ｘＲＴＴシステム１４６とのハンドオーバーシグナリングを開始する。
【００５９】
図６、７及び８は、本発明の規範的な実施形態による方法のオペレーションを示すと共に、コンピュータ読み取り可能なメモリで実施されるコンピュータプログラムインストラクションの実行の結果を示す論理フロー図である。
【００６０】
図６は、ＵＥ１１０により遂行される。図６において、ＵＥ１１０は、ブロック６１０において、複数のコード分割多重アクセスシステムの１つを選択する。ブロック６２０において、ＵＥ１１０は、その選択されたコード分割多重アクセスシステムの１つ以上の指示をネットワークエレメントにシグナリングする。
【００６１】
図７は、ＬＴＥシステムのＭＭＥ１９１のようなネットワークエレメントにより遂行される。ブロック７１０において、ネットワークエレメントは、そのネットワークエレメントがアクセスする複数のコード分割多重アクセスシステムのうちの１つ以上の選択されたシステムの１つ以上の指示を受け取る。その１つ以上の選択されたコード分割多重アクセスシステムは、ユーザ装置による１つ以上の要求されたアクションと、複数のコード分割多重アクセスシステムのうちの選択されたシステムをユーザ装置で選択することと、に対応する。ブロック７２０において、ネットワークエレメントは、１つ以上の要求されたアクションに対応する情報を１つ以上の選択されたコード分割多重アクセスシステムへルーティングする。
【００６２】
図８は、ＬＴＥシステムのｅＮｏｄｅＢ１０７のようなネットワークエレメントにより遂行される。ネットワークエレメントは、ブロック８１０において、１つ以上のＬＴＥシステムのうちの関連するシステムに対する複数のコード分割多重アクセスシステムのマッピングの指示をユーザ装置へシグナリングする。ブロック８２０において、ネットワークエレメントは、ユーザ装置によって選択された１つ以上の選択されたコード分割多重アクセスシステムの１つ以上の指示を含むシグナリングをユーザ装置から受信する。
【００６３】
以上の開示を、多数の実施例を通して以下に示す。
【００６４】
例１：ＬＴＥシステムのユーザ装置において、複数のコード分割多重アクセスシステムのうちの１つを選択し；及びその選択されたコード分割多重アクセスシステムの１つ以上の指示をネットワークエレメントへシグナリングする；ことを含む方法。
【００６５】
２．１つ以上のＬＴＥシステムのうちの関連するシステムに対する複数のコード分割多重アクセスシステムのマッピングを受け取ることを更に含み；及び前記選択することは、前記マッピングを使用して複数のコード分割多重アクセスシステムの１つを選択することを含む、例１に記載の方法。
【００６６】
３．前記マッピングは、１つ以上のＬＴＥシステムに対する複数の高レートパケットデータシステム及び１ｘ無線送信技術システムのマッピングを含み、前記選択することは、更に、高レートパケットデータシステム及び１ｘ無線送信技術システムを選択することを含み、前記シグナリングすることは、更に、前記選択された高レートパケットデータシステムの指示及び前記選択された１ｘ無線送信技術システムの指示を前記ネットワークエレメントへシグナリングすることを含む、例２に記載の方法。
【００６７】
４．前記選択することは、更に、前記選択された１ｘ無線送信技術システムを回路交換フォールバックシステムとして選択することを含み；及び前記シグナリングすることは、更に、前記選択された１ｘ無線送信システムの指示を、前記ＬＴＥシステムから前記選択された１ｘ無線送信システムのパラメータを要求する目的でベースステーションへシグナリングすることを含む、例３に記載の方法。
【００６８】
５．ＬＴＥシステムを使用して、１ｘ無線送信技術システム又は高レートパケットデータシステムの一方に関する情報のアップリンク情報転送を遂行することを更に含み；前記アップリンク転送は、少なくとも、前記情報が１ｘ無線送信技術システム又は高レートパケットデータシステムのどちらに関するものか指示するメッセージを含む、例３に記載の方法。
【００６９】
６．前記複数のコード分割多重アクセスシステムは、更に、高レートパケットデータシステムを備え；前記選択することは、更に、前記複数の高レートパケットデータシステムの１つを選択することを含み；及び前記シグナリングすることは、更に、前記選択された高レートパケットデータシステムを測定レポートにおいてベースステーションへシグナリングすることを含む；例１に記載の方法。
【００７０】
７．前記選択された進化型高レートパケットデータシステムへのハンドオーバーの一部分として遂行される、例６に記載の方法。
【００７１】
８．前記複数のコード分割多重アクセスシステムは、更に、複数の１ｘ無線送信技術システムを備え；前記選択することは、更に、前記複数の１ｘ無線送信技術システムの１つを選択することを含み；及び前記シグナリングすることは、更に、前記選択された１ｘ無線送信技術システムを測定レポートにおいてベースステーションへシグナリングすることを含む；例６に記載の方法。
【００７２】
９．ＬＴＥシステムから前記選択された１ｘ無線送信技術システムへのハンドオーバーの一部分として、及び前記選択された高レートパケットデータシステムへの同時ハンドオーバーの一部分として遂行される方法であって、更に、前記選択された１ｘ無線送信技術システムの指示を含む拡張サービス要求をユーザ装置によりベースステーションへシグナリングすることを含む、例８に記載の方法。
【００７３】
１０．前記複数のコード分割多重アクセスシステムは、更に、複数の１ｘ無線送信技術システムを備え；前記選択することは、更に、前記複数の１ｘ無線送信技術システムの１つを選択することを含み；及び前記シグナリングすることは、更に、前記選択された１ｘ無線送信技術システムを測定レポートにおいてベースステーションへシグナリングすることを含む；例１に記載の方法。
【００７４】
１１．前記選択された１ｘ無線送信技術システムに対するボイスオーバーインターネットプロトコルコールの単一の無線ボイスコール継続性の一部分として遂行される、例１０に記載の方法。
【００７５】
１２．ユーザ装置により遂行される前記方法例のいずれか１つの方法。
【００７６】
１３．コンピュータに使用するために実施されたコンピュータプログラムコードを保持するコンピュータ読み取り可能な記憶媒体を含むコンピュータプログラム製品であって、前記コンピュータプログラムコードは、前記方法例のいずれか１つを遂行するためのコードを含むものであるコンピュータプログラム製品。
【００７７】
１４．１つ以上のプロセッサと、コンピュータプログラムコードを含む１つ以上のメモリとを備えた装置において、１つ以上のメモリ及びコンピュータプログラムコードは、１つ以上のプロセッサとで、装置に、前記方法例のいずれか１つを遂行させるように構成された装置。
【００７８】
例１５．ＬＴＥシステムのネットワークエレメントにおいて、そのネットワークエレメントがアクセスする複数のコード分割多重アクセスシステムのうちの１つ以上の選択されたシステムの１つ以上の指示を受け取ることを含み、その１つ以上の選択されたコード分割多重アクセスシステムは、ユーザ装置による１つ以上の要求されたアクションと、複数のコード分割多重アクセスシステムのうちの選択されたシステムをユーザ装置で選択すること、とに対応し；及び１つ以上の要求されたアクションに対応する情報を１つ以上の選択されたコード分割多重アクセスシステムへルーティングする；ことを含む方法。
【００７９】
１６．前記１つ以上の要求されたアクションは、選択されたコード分割多重アクセスシステムとの事前登録手順を含み、前記ルーティングすることは、更に、前記事前登録手順に対応する情報を前記選択されたコード分割多重アクセスシステムへルーティングすることを含む、例１５に記載の方法。
【００８０】
１７．前記ネットワークエレメントがアクセスする複数のコード分割多重アクセスシステムは、更に、複数の１ｘ無線送信技術システム及び複数の高レートパケットデータシステムを備え、前記１つ以上の選択された複数のコード分割多重アクセスシステムは、選択された１ｘ無線送信技術システム又は選択された高レートパケットデータシステムの一方を含む、例１６に記載の方法。
【００８１】
１８．前記１つ以上の要求されたアクションは、選択されたコード分割多重アクセスシステムへのユーザ装置のハンドオーバーを含み、前記ルーティングすることは、更に、前記ハンドオーバーに対応する情報を前記選択されたコード分割多重アクセスシステムへルーティングすることを含む、例１５に記載の方法。
【００８２】
１９．前記ネットワークエレメントがアクセスする複数のコード分割多重アクセスシステムは、更に、複数の高レートパケットデータシステムを備え、前記１つ以上の選択された複数のコード分割多重アクセスシステムは、選択された高レートパケットデータシステムを含み、前記ルーティングすることは、更に、前記ハンドオーバーに対応する情報を前記選択された高レートパケットデータシステムへルーティングすることを含む、例１８に記載の方法。
【００８３】
２０．前記ネットワークエレメントがアクセスする複数のコード分割多重アクセスシステムは、更に、複数の１ｘ無線送信技術システムを備え、前記１つ以上の要求されたアクションは、ＬＴＥシステムから１ｘ無線送信技術システムへの回路交換フォールバックを含み、前記ルーティングすることは、更に、前記回路交換フォールバックに対応する情報を前記複数の選択されたコード分割多重アクセスシステムへルーティングすることを含む、例１５に記載の方法。
【００８４】
２１．前記ネットワークエレメントがアクセスする複数のコード分割多重アクセスシステムは、更に、複数の高レートパケットデータシステムを備え、前記１つ以上の要求されたアクションは、更に、ＬＴＥシステムから複数の高レートパケットデータシステムのうちの選択されたシステムへのパケットデータセッションのハンドオーバーを含み、前記ルーティングすることは、更に、前記ハンドオーバーに対応する情報を前記選択された高レートパケットデータシステムルーティングすることを含む、例２０に記載の方法。
【００８５】
２２．前記１つ以上の要求されたアクションは、選択されたコード分割多重アクセスシステムへのユーザ装置のボイスオーバーインターネットプロトコルコールの単一の無線ボイスコール継続性を含み、前記ルーティングすることは、更に、前記単一の無線ボイスコール継続性に対応する情報を前記選択されたコード分割多重アクセスシステムへルーティングすることを含む、例１５に記載の方法。
【００８６】
２３．前記ネットワークエレメントがアクセスする複数のコード分割多重アクセスシステムは、更に、複数の１ｘ無線送信技術システムを備え、前記ルーティングすることは、更に、前記単一の無線ボイスコール継続性に対応する情報を前記選択された１ｘ無線送信技術システムへルーティングすることを含む、例２２に記載の方法。
【００８７】
２４．前記情報をルーティングすることは、更に、前記ＬＴＥシステムを通して前記１つ以上の選択されたコード分割多重アクセスシステムへ情報をトンネリングすることを含む、前記方法例のいずれかに記載の方法。
【００８８】
２５．ＬＴＥシステムにおいて移動管理エンティティにより遂行される前記方法例のいずれかに記載の方法。
【００８９】
２６．コンピュータに使用するために実施されたコンピュータプログラムコードを保持するコンピュータ読み取り可能な記憶媒体を含むコンピュータプログラム製品であって、前記コンピュータプログラムコードは、前記方法例のいずれか１つを遂行するためのコードを含むものであるコンピュータプログラム製品。
【００９０】
２７．１つ以上のプロセッサと、コンピュータプログラムコードを含む１つ以上のメモリとを備えた装置において、１つ以上のメモリ及びコンピュータプログラムコードは、１つ以上のプロセッサとで、装置に、前記方法例のいずれか１つを遂行させるように構成された装置。
【００９１】
例２８．ＬＴＥシステムのネットワークエレメントにおいて、１つ以上のＬＴＥシステムのうちの関連するシステムに対する複数のコード分割多重アクセスシステムのマッピングの指示をユーザ装置へシグナリングし；及びユーザ装置により選択された１つ以上の選択されたコード分割多重アクセスシステムの１つ以上の指示を含むシグナリングをユーザ装置から受け取る；ことを含む方法。
【００９２】
２９．前記受け取ることに応答して、前記１つ以上の選択されたコード分割多重アクセスシステムの前記１つ以上の指示をＬＴＥシステムの第２のネットワークエレメントへシグナリングすることを更に含む、例２８に記載の方法。
【００９３】
３０．ユーザ装置による１つ以上の要求されたアクションに対応し且つ１つ以上の選択されたコード分割多重アクセスシステムに対応するシグナリングを受け取り；及び前記１つ以上の要求されたアクションを第２のネットワークエレメントへシグナリングする；ことを更に含む例２９に記載の方法。
【００９４】
３１．前記１つ以上の選択されたコード分割多重アクセスシステムの測定を行うことをユーザ装置にシグナリングすることで要求をなすことを更に含む、例２８に記載の方法。
【００９５】
３２．前記要求をなすことは、少なくとも１ｘ無線送信技術システムの指示を含むシグナリングをＬＴＥシステムの第２のネットワークエレメントから受け取るのに応答して行われ、そして前記１つ以上の選択されたコード分割多重アクセスシステムの測定を行うことをユーザ装置にシグナリングすることで要求をなすことは、更に、１ｘ無線送信技術システムの測定を行うことをユーザ装置にシグナリングすることで要求をなすことを含む、例３１に記載の方法。
【００９６】
３３．前記１つ以上のシグナリングされた指示は、選択された１ｘ無線送信技術システム及び選択された高レートパケットデータシステムの指示の一方又は両方を含み、そして前記方法は、更に、ユーザ装置へ送出するために前記選択された１ｘ無線送信技術システム又は前記選択された高レートパケットデータシステムの一方又は両方に関連したＣＤＭＡ２０００パラメータのセットを選択する指示を使用し；及び前記ＣＤＭＡ２０００パラメータのセットをユーザ装置へ送出する；ことを含む例２８に記載の方法。
【００９７】
３４．ＬＴＥシステムのベースステーションにより遂行される前記方法例のいずれかに記載の方法。
【００９８】
３５．コンピュータに使用するために実施されたコンピュータプログラムコードを保持するコンピュータ読み取り可能な記憶媒体を含むコンピュータプログラム製品であって、前記コンピュータプログラムコードは、前記方法例のいずれか１つを遂行するためのコードを含むものであるコンピュータプログラム製品。
【００９９】
３６．１つ以上のプロセッサと、コンピュータプログラムコードを含む１つ以上のメモリとを備えた装置において、１つ以上のメモリ及びコンピュータプログラムコードは、１つ以上のプロセッサとで、装置に、前記方法例のいずれか１つを遂行させるように構成された装置。
【０１００】
本発明の実施形態は、ソフトウェア（１つ以上のプロセッサにより実行される）、ハードウェア（例えば、特定用途向け集積回路）、又はソフトウェア及びハードウェアの組み合わせで具現化される。規範的な実施形態において、ソフトウェア（例えば、アプリケーションロジック、インストラクションセット）は、種々の従来のコンピュータ読み取り可能な媒体のいずれかに維持される。本書の文脈において、「コンピュータ読み取り可能な媒体」とは、コンピュータのようなインストラクション実行システム、装置又はデバイスに関連して又はそれにより使用するためにインストラクションを収容し、記憶し、通信し、伝播し又は搬送することのできる媒体又は手段であり、コンピュータの一例は、図１に示して説明した。コンピュータ読み取り可能な媒体は、コンピュータのようなインストラクション実行システム、装置又はデバイスに関連して又はそれにより使用するためにインストラクションを収容し又は記憶することのできる媒体又は手段であるコンピュータ読み取り可能な記憶媒体（例えば、メモリ１２５、１５５、１９５又は他のデバイス）を含む。
【０１０１】
要望があれば、ここに述べた異なる機能は、互いに異なる順序で及び／又は同時に遂行することもできる。更に、要望があれば、上述した機能の１つ以上は、任意なものでもよいし、又は組み合わせてもよい。
【０１０２】
本発明の種々の態様を独立請求項に述べるが、本発明の他の態様は、請求項に明確に述べる組み合わせだけでなく、ここに述べる実施形態、及び／又は独立請求項の特徴をもつ従属請求項からの特徴の他の組み合わせも包含する。
【０１０３】
又、本発明の規範的な実施形態を上述したが、本発明は、それらの説明に限定されないことに注意されたい。むしろ、特許請求の範囲に規定された本発明の範囲から逸脱せずに多数の変更や修正がなされ得る。
【符号の説明】
【０１０４】
１００：ネットワーク
１０７：ｅＮＢ
１１０：ユーザ装置
１１５：ワイヤレスリンク
１２０：プロセッサ
１２３：コンピュータプログラムコード
１２５：メモリ
１２７：バス
１２８：アンテナ
１３０：トランシーバ
１４０：ＣＤＭＡ２０００システム
１４５：ｅＨＲＰＤシステム
１４６：１ｘＲＴＴシステム
１５０：プロセッサ
１５３：コンピュータプログラムコード
１５５：メモリ
１５７：バス
１５８：アンテナ
１６０：トランシーバ
１６１：ネットワークインターフェイス
１７３、１７５：ネットワーク
１８０：プロセッサ
１８７：バス
１９０：ネットワークインターフェイス
１９１：ＭＭＥ
１９５：メモリ
１９７：コンピュータプログラムコード
【図１】
2015515203.tif 000003
【図２】
2015515203.tif 000004
【図３】
2015515203.tif 000005
【図４Ａ】
2015515203.tif 000006
【図４Ｂ】
2015515203.tif 000007
【図５】
2015515203.tif 000008
【図６】
2015515203.tif 000009
【図７】
2015515203.tif 000010
【図８】
2015515203.tif 000011
【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
ＬＴＥシステムのユーザ装置において複数のコード分割多重アクセスシステムのうちの１つを選択し；及び
前記選択されたコード分割多重アクセスシステムの１つ以上の指示をネットワークエレメントへシグナリングする；
ことを含む方法。
【請求項２】
１つ以上のＬＴＥシステムのうちの関連するシステムに対する前記複数のコード分割多重アクセスシステムのマッピングを受け取ることを更に含み；及び前記選択することは、前記マッピングを使用して前記複数のコード分割多重アクセスシステムの１つを選択することを含む、請求項１に記載の方法。
【請求項３】
前記マッピングは、前記１つ以上のＬＴＥシステムに対する複数の高レートパケットデータシステム及び１ｘ無線送信技術システムのマッピングを含み、
前記選択することは、更に、高レートパケットデータシステム及び１ｘ無線送信技術システムを選択することを含み、及び
前記シグナリングすることは、更に、前記選択された高レートパケットデータシステムの指示及び前記選択された１ｘ無線送信技術システムの指示を前記ネットワークエレメントへシグナリングすることを含む、請求項２に記載の方法。
【請求項４】
前記選択することは、更に、前記選択された１ｘ無線送信技術システムを回路交換フォールバックシステムとして選択することを含み；及び前記シグナリングすることは、更に、前記選択された１ｘ無線送信システムの指示を、前記ＬＴＥシステムから前記選択された１ｘ無線送信システムのパラメータを要求する目的でベースステーションへシグナリングすることを含む、請求項３に記載の方法。
【請求項５】
１ｘ無線送信技術システム又は高レートパケットデータシステムの一方を使用してアップリンク情報転送を遂行することを更に含み；前記アップリンク転送は、少なくとも、１ｘ無線送信技術システム又は高レートパケットデータシステムのどちらが使用されているのを指示するメッセージを含む、請求項３に記載の方法。
【請求項６】
前記複数のコード分割多重アクセスシステムは、更に、複数の高レートパケットデータシステムを備え；
前記選択することは、更に、前記複数の高レートパケットデータシステムの１つを選択することを含み；及び
前記シグナリングすることは、更に、前記選択された高レートパケットデータシステムを、前記選択された高レートパケットデータシステムの１又はそれ以上の測定値の指示をさらに含む測定レポートにおいてベースステーションへシグナリングすることを含む；
請求項１に記載の方法。
【請求項７】
前記選択された進化型高レートパケットデータシステムへのハンドオーバーの一部分として遂行される、請求項６に記載の方法。
【請求項８】
前記複数のコード分割多重アクセスシステムは、更に、複数の１ｘ無線送信技術システムを備え；
前記選択することは、更に、前記複数の１ｘ無線送信技術システムの１つを選択することを含み；及び
前記シグナリングすることは、更に、前記選択された１ｘ無線送信技術システムを測定レポートにおいてベースステーションへシグナリングすることを含む；
請求項６に記載の方法。
【請求項９】
１つの無線アクセス技術から前記選択された１ｘ無線送信技術システムへのハンドオーバーの一部分として、及び前記選択された高レートパケットデータシステムへの同時ハンドオーバーの一部分として遂行される方法であって、更に、前記選択された１ｘ無線送信技術システムの指示を含む拡張サービス要求をユーザ装置によりベースステーションへシグナリングすることを含む、請求項８に記載の方法。
【請求項１０】
前記複数のコード分割多重アクセスシステムは、更に、複数の１ｘ無線送信技術システムを備え；
前記選択することは、更に、前記複数の１ｘ無線送信技術システムの１つを選択することを含み；及び
前記シグナリングすることは、更に、前記選択された１ｘ無線送信技術システムを測定レポートにおいてベースステーションへシグナリングすることを含む；
請求項１に記載の方法。
【請求項１１】
前記選択された１ｘ無線送信技術システムに対するボイスオーバーインターネットプロトコルコールの単一の無線ボイスコール継続性の一部分として遂行される、請求項１０に記載の方法。
【請求項１２】
１つ以上のプロセッサと、
コンピュータプログラムコードを含む１つ以上のメモリと、を含む装置であって、前記１つ以上のメモリと前記コンピュータプログラムコードは、前記１つ以上のプロセッサによって、前記装置に少なくとも、
ＬＴＥシステムのユーザ端末において、複数のコード分割多重アクセスシステムのうちの１つを選択すること、その選択されたコード分割多重アクセスシステムの１つ以上の指示をシグナリングすること、を実行させるように構成されている装置。
【請求項１３】
ＬＴＥシステムのネットワークエレメントにおいて、そのネットワークエレメントがアクセスする複数のコード分割多重アクセスシステムのうちの１つ以上の選択されたシステムの１つ以上の指示を受け取ることを含み、その１つ以上の選択されたコード分割多重アクセスシステムは、ユーザ装置による１つ以上の要求されたアクションと、複数のコード分割多重アクセスシステムのうちの選択されたシステムをユーザ装置で選択すること、とに対応し；及び
前記１つ以上の要求されたアクションに対応する情報を前記１つ以上の選択されたコード分割多重アクセスシステムへルーティングする；
ことを含む方法。
【請求項１４】
前記１つ以上の要求されたアクションは、選択されたコード分割多重アクセスシステムとの事前登録手順を含み、前記ルーティングすることは、更に、前記事前登録手順に対応する情報を前記選択されたコード分割多重アクセスシステムへルーティングすることを含む、請求項１３に記載の方法。
【請求項１５】
前記ネットワークエレメントがアクセスする前記複数のコード分割多重アクセスシステムは、更に、複数の１ｘ無線送信技術システム及び複数の高レートパケットデータシステムを備え、前記１つ以上の選択された複数のコード分割多重アクセスシステムは、選択された１ｘ無線送信技術システム又は選択された高レートパケットデータシステムの一方を含む、請求項１４に記載の方法。
【請求項１６】
１つ以上のプロセッサと、
コンピュータプログラムコードを含む１つ以上のメモリと、を含む装置であって、前記１つ以上のメモリと前記コンピュータプログラムコードは、前記１つ以上のプロセッサによって、前記装置に少なくとも、
ＬＴＥシステムのネットワークエレメントにおいて、そのネットワークエレメントがアクセスする複数のコード分割多重アクセスシステムのうちの１つ以上の選択されたシステムの１つ以上の指示を受け取ることであって、ここで、その１つ以上の選択されたコード分割多重アクセスシステムは、ユーザ装置による１つ以上の要求されたアクションと、前記複数のコード分割多重アクセスシステムのうちの前記選択されたシステムの前記ユーザ装置による選択と、に対応し、及び
前記１つ以上の要求されたアクションに対応する情報を前記１つ以上の選択されたコード分割多重アクセスシステムへルーティングすること、を実行させるように構成されている装置。
【請求項１７】
ＬＴＥシステムのネットワークエレメントにおいて、１つ以上のＬＴＥシステムのうちの関連するシステムに対する複数のコード分割多重アクセスシステムのマッピングの指示をユーザ装置へシグナリングし；及び
ユーザ装置により選択された１つ以上の選択されたコード分割多重アクセスシステムの１つ以上の指示を含むシグナリングをユーザ装置から受け取る；
ことを含む方法。
【請求項１８】
前記受け取ることに応答して、前記１つ以上の選択されたコード分割多重アクセスシステムの前記１つ以上の指示をＬＴＥシステムの第２のネットワークエレメントへシグナリングすることを更に含む、請求項１７に記載の方法。
【請求項１９】
ユーザ装置による１つ以上の要求されたアクションに対応し且つ１つ以上の選択されたコード分割多重アクセスシステムに対応するシグナリングを受け取り；及び
前記１つ以上の要求されたアクションを第２のネットワークエレメントへシグナリングする；
ことを更に含む請求項１８に記載の方法。
【請求項２０】
前記１つ以上の選択されたコード分割多重アクセスシステムの測定を行うことをユーザ装置にシグナリングすることで要求をなすことを更に含む、請求項１７に記載の方法。
【請求項２１】
前記要求をなすことは、少なくとも１ｘ無線送信技術システムの指示を含むシグナリングをＬＴＥシステムの第２のネットワークエレメントから受け取るのに応答して行われ、そして前記１つ以上の選択されたコード分割多重アクセスシステムの測定を行うことをユーザ装置にシグナリングすることで要求をなすことは、更に、前記１ｘ無線送信技術システムの測定を行うことをユーザ装置にシグナリングすることで要求をなすことを含む、請求項２０に記載の方法。
【請求項２２】
前記１つ以上のシグナリングされた指示は、選択された１ｘ無線送信技術システム及び選択された高レートパケットデータシステムの指示の一方又は両方を含み、そして前記方法は、更に、ユーザ装置へ送出するために前記選択された１ｘ無線送信技術システム又は前記選択された高レートパケットデータシステムの一方又は両方に関連したＣＤＭＡ２０００パラメータのセットを選択する指示を使用し；及び前記ＣＤＭＡ２０００パラメータのセットをユーザ装置へ送出する；ことを含む請求項１７に記載の方法。
【請求項２３】
１つ以上のプロセッサと、
コンピュータプログラムコードを含む１つ以上のメモリと、を含む装置であって、前記１つ以上のメモリと前記コンピュータプログラムコードは、前記１つ以上のプロセッサによって、前記装置に少なくとも、
ＬＴＥシステムのネットワークエレメントにおいて、複数のコード分割多重アクセスシステムの、１つ以上のＬＴＥシステムの対応するシステムへのマッピングの指示をユーザ端末にシグナリングすること、前記ユーザ端末から、前記ユーザ端末によって選択された１つ以上のコード分割多重アクセスシステムの１つ以上の指示を含むシグナリングを受信すること、を実行させるように構成されている装置。
【国際調査報告】
2015515203.tif 000012
2015515203.tif 000013
2015515203.tif 000014
2015515203.tif 000015